(57)【要約】【課題】耐久性及び製造コストに優れ、かつ、極角が大きい場合に、黒表示時に方位角に依存して発生するピーク輝度のばらつきが抑えられた液晶モジュールを提供する。【解決手段】背面側から観察面側に向かって、第１偏光子、第１基板、液晶層、インセル位相差層（ｎｘ＞ｎｙ＝ｎｚのλ／４板）、第２基板、アウトセル位相差層（ｎｘ＞ｎｙ≧ｎｚのλ／４板）、及び、第２偏光子、を有する液晶パネルと、バックライトと、を備え、上記バックライトは、第１稜線を有する第１プリズムシートと、上記第１プリズムシートより背面側に配置され、かつ、上記第１稜線と直交する第２稜線を有する第２プリズムシートと、を備え、上記第１稜線は、黒表示時に斜め方向において上記液晶パネルの透過率が最大となる方位角に対して平行である液晶モジュール。【選択図】    図２
2019066531.tif 000002
【特許請求の範囲】
【請求項１】
第１基板、
前記第１基板の観察面側に配置された第２基板、
前記第１基板と前記第２基板との間に設けられた液晶層、
前記第１基板の背面側に設けられた第１偏光子、
前記第２基板と前記液晶層との間に設けられたインセル位相差層、及び、
前記第２基板の観察面側に設けられた円偏光板、を有する液晶パネルと、
前記液晶パネルの背面側に設けられたバックライトと、を備え、
前記円偏光板は、第２偏光子と、前記第２基板と前記第２偏光子との間に設けられたアウトセル位相差層と、を有し、
前記インセル位相差層は、λ／４板であり、かつ、３つの主屈折率がｎｘ＞ｎｙ＝ｎｚの関係を満たし、
前記アウトセル位相差層は、λ／４板であり、かつ、３つの主屈折率がｎｘ＞ｎｙ≧ｎｚの関係を満たし、
前記バックライトは、第１稜線を有する凹凸形状部を備える第１プリズムシートと、前記第１プリズムシートより背面側に配置され、かつ、前記第１稜線と直交する第２稜線を有する凹凸形状部を備える第２プリズムシートと、を備え、
前記第１稜線は、黒表示時に斜め方向において前記液晶パネルの透過率が最大となる方位に対して平行であることを特徴とする液晶モジュール。
【請求項２】
前記液晶パネルは、更に、前記第２基板と前記アウトセル位相差層との間にポジティブＣプレートを備え、
前記円偏光板は、左円偏光板であり、
黒表示時の前記液晶層における液晶分子の配向方位は、前記第１偏光子の吸収軸と平行であり、
前記第２偏光子の吸収軸の方位角を０°とし、前記アウトセル位相差層のＮＺ係数をβとしたとき、前記第１稜線の方位角αは、下記式１を満たすことを特徴とする請求項１に記載の液晶モジュール。
１０×β＋３５≦α≦１０×β＋４５      （式１）
【請求項３】
前記液晶パネルは、更に、前記第２基板と前記アウトセル位相差層との間にポジティブＣプレートを備え、
前記円偏光板は、右円偏光板であり、
黒表示時の前記液晶層における液晶分子の配向方位は、前記第１偏光子の吸収軸と平行であり、
前記第２偏光子の吸収軸の方位角を０°とし、前記アウトセル位相差層のＮＺ係数をβとしたとき、前記第１稜線の方位角αは、下記式２を満たすことを特徴とする請求項１に記載の液晶モジュール。
−１０×β＋１３５≦α≦−１０×β＋１４５      （式２）
【請求項４】
前記円偏光板は、右円偏光板であり、
黒表示時の前記液晶層における液晶分子の配向方位は、前記第１偏光子の吸収軸と直交し、
前記第１偏光子の吸収軸の方位角を０°としたとき、前記第１稜線の方位角αは、１１０°以上、１２０°以下であることを特徴とする請求項１に記載の液晶モジュール。
【請求項５】
前記円偏光板は、左円偏光板であり、
黒表示時の前記液晶層における液晶分子の配向方位は、前記第１偏光子の吸収軸と直交し、
前記第１偏光子の吸収軸の方位角を０°としたとき、前記第１稜線の方位角αは、６０°以上、７０°以下であることを特徴とする請求項１に記載の液晶モジュール。
【発明の詳細な説明】
【技術分野】
【０００１】
本発明は、液晶モジュールに関する。より詳しくは、プリズムシートを備える液晶モジュールに関するものである。
【背景技術】
【０００２】
液晶モジュール（液晶表示装置）は、表示のために液晶組成物を利用する表示装置であり、その代表的な表示方式は、一対の基板間に液晶組成物を封入した液晶パネルに対してバックライトから光を照射し、液晶組成物に電圧を印加して液晶分子の配向を変化させることにより、液晶モジュールを透過する光の量を制御するものである。このような液晶モジュールは、薄型、軽量及び低消費電力といった特長を有することから、テレビジョン、スマートフォン、タブレット端末、カーナビゲーション等の電子機器に利用されている。
【０００３】
液晶モジュールに用いられるバックライトは、例えば、光源と、上記光源からの光を拡散する拡散板と、プリズムシートと、を備える。プリズムシートを備える液晶モジュールとして、例えば、特許文献１には、液晶表示素子と、上記液晶表示素子を照明するためのバックライト構体とを具備し、上記バックライト構体が、拡散板と、上記拡散板と上記液晶表示素子との間に配置されて上記液晶表示素子側の面に多数の微細なプリズム溝を有する２枚のプリズムシートとを少なくとも有する液晶表示装置において、上記２枚のプリズムシートのプリズム溝の溝方向と上記液晶表示素子の画素の繰り返し方向に所定の角度を持たせるとともに、上記２枚のプリズムの溝方向を互いに直交させて配置してなる液晶表示装置が開示されている。
【０００４】
特許文献２には、光源と、導光板と、複数のプリズムを有するプリズムシートと、を備え、上記プリズムシートは、拡散異方性を有する異方性粒子を含み、上記複数のプリズムの配列方向と上記異方性粒子の長手方向とは、上記プリズムシートの平面方向において０度より大きく５度より小さい角度ずれている照明装置を有する液晶表示装置が開示されている。
【０００５】
特許文献３には、液晶表示装置を構成する液晶表示パネルの画素配列の方向をＸ１方向とし、バックライトモジュールのプリズムシートを構成する三角柱状のプリズム素子列がＸ２方向に伸びているとすると、Ｘ１方向及びＸ２方向が完全には一致していない液晶表示装置が開示されている。
【先行技術文献】
【特許文献】
【０００６】
【特許文献１】特開平８−６８９９７号公報
【特許文献２】国際公開第２００９／０８４１７７号
【特許文献３】特開２００８−３２８４１号公報
【発明の概要】
【発明が解決しようとする課題】
【０００７】
図２０は、比較形態１の液晶モジュールの断面模式図である。図２１は、比較形態２の液晶モジュールの断面模式図である。
【０００８】
比較形態１の液晶モジュール１Ｒは、現在使用されているＦＦＳ（Ｆｒｉｎｇｅ  Ｆｉｅｌｄ  Ｓｗｉｔｃｈｉｎｇ）モードの液晶モジュールの一例であり、図２０に示すように、観察面側から順に、液晶パネル１０Ｒ及びバックライト２０Ｒを備える。比較形態１の液晶モジュール１Ｒが備える液晶パネル１０Ｒは、背面側から観察面側に向かって順に、第１偏光子１１０Ｒ、薄膜トランジスタ（ＴＦＴ：Ｔｈｉｎ  Ｆｉｌｍ  Ｔｒａｎｓｉｓｔｏｒ）を有する第１基板（ＴＦＴ基板）１２０Ｒ、液晶層１３０Ｒ、カラーフィルタ（ＣＦ：Ｃｏｌｏｒ  Ｆｉｌｔｅｒ）を有する第２基板（ＣＦ基板）１５０Ｒ、透明導電膜（例えば、酸化インジウムスズ（ＩＴＯ：Ｉｎｄｉｕｍ  Ｔｉｎ  Ｏｘｉｄｅ：）薄膜）１６０Ｒ、及び、第２偏光子１８２Ｒを備える。液晶層１３０Ｒはシール材１３５Ｒにより封止されている。第２基板１５０Ｒには、カラーフィルタ層１５１Ｒ、ブラックマトリクス層１５２Ｒ及び絶縁基板１５３Ｒが設けられている。
【０００９】
比較形態２の液晶モジュール１Ｒは、比較形態１の液晶モジュール１Ｒに反射防止膜及びアウトセル位相差層を設けた液晶モジュールである。すなわち、比較形態２の液晶モジュール１Ｒは、透明導電膜１６０Ｒと第２偏光子１８２Ｒとの間にアウトセル位相差層１８１Ｒを備え、かつ、第２偏光子１８２Ｒの観察面側に反射防止膜１９０Ｒを備えること以外は、比較形態１の液晶モジュール１Ｒと同様の構成を有する。
【００１０】
図２０に示す比較形態１の液晶モジュール１Ｒは、屋外などの明所環境で使用した場合、画面が強く反射するため表示画像が視認しにくい。これは、図２０に示すように、第２偏光子１８２Ｒ表面での反射、液晶パネル１０Ｒの第２基板１５０Ｒが備えるブラックマトリクス層１５２Ｒにおける界面反射、及び、静電気による表示不良の対策のために液晶パネル１０Ｒの表面に配置された透明導電膜１６０Ｒにおける界面反射が大きく影響している。
【００１１】
これらの界面反射を抑える方法として、次の２つの方法が挙げられる。まず１つ目の方法として、第２偏光子１８２Ｒ表面での反射を抑えるため、図２１に示すように、反射防止膜１９０Ｒを採用する方法が挙げられる。界面反射を抑える２つ目の方法として、透明導電膜１６０Ｒやブラックマトリクス層１５２Ｒの界面での反射を抑えるため、図２１に示すように、λ／４板であるアウトセル位相差層１８１Ｒ及び第２偏光子１８２Ｒを組み合わせた円偏光板１８０Ｒを採用する方法が挙げられる。
【００１２】
界面での反射を抑えるために、図２１に示すようにλ／４板であるアウトセル位相差層を設ける場合、上記アウトセル位相差層と遅相軸が直交するλ／４板を更に設けて、アウトセル位相差層の位相差をキャンセルさせる場合がある。従来、ＶＡ（Ｖｅｒｔｉｃａｌ  Ａｌｉｇｎｍｅｎｔ）モードの液晶モジュールでは、２枚のλ／４板を互いの遅相軸が直交するように液晶パネルの上下に配置していた。しかしながら、液晶分子が常に面内に配向しているＦＦＳモードの液晶モジュールでこの構成を採用すると、液晶分子の配向方位によらず透過率が一定になり、白黒の表示を行うことができない。したがって、ＦＦＳモードの液晶モジュールでは、ＶＡモードの液晶モジュールで採用されていた構成を用いることができない。
【００１３】
図２２は、比較形態３の液晶モジュールに関する図であり、（ａ）は断面模式図であり、（ｂ）は斜視分解模式図である。図２３は、比較形態３の液晶モジュールが備える液晶パネルの、黒表示時における規格化透過率のシミュレーション結果を示すグラフである。上記規格化透過率のシミュレーションは、極角６０°におけるものである。また、上記規格化透過率のシミュレーションは、極角６０°において、方位角０°から３６０°での規格化輝度が１．０であるバックライトを用いて行った。比較形態３の液晶モジュール１Ｒは、図２２に示すように、液晶層１３０Ｒと第２基板１５０Ｒとの間にインセル位相差層１４０Ｒを設けること以外は、比較形態２の液晶ジュール１Ｒと同様の構成を有する。すなわち、比較形態３の液晶モジュール１Ｒでは、第２基板１５０Ｒと液晶層１３０Ｒとの間にインセル位相差層１４０Ｒを設け、第２基板１５０Ｒの観察者側にアウトセル位相差層１８１Ｒを設ける。比較形態３の液晶モジュール１Ｒにおけるインセル位相差層１４０Ｒ及びアウトセル位相差層１８１Ｒはλ／４板であり、インセル位相差層１４０Ｒの遅相軸とアウトセル位相差層１８１Ｒの遅相軸とは互いに直交する。
【００１４】
比較形態３の液晶モジュール１Ｒでは、第２偏光子１８２Ｒとアウトセル位相差層１８１Ｒとを組み合わせて用いることにより円偏光板１８０Ｒとして機能させることができ、透明導電膜１６０Ｒでの反射、及び、ブラックマトリクス層１５２Ｒでの反射は、円偏光板１８０Ｒによりカットされる。また、第２偏光子１８２Ｒの表面での反射は、反射防止膜１９０Ｒによりカットすることができる。更に、インセル位相差層１４０Ｒ及びアウトセル位相差層１８１Ｒの遅相軸は互いに直交するため、インセル位相差層１４０Ｒ及びアウトセル位相差層１８１Ｒの位相差を互いにキャンセルすることができ、透過表示時において、実質的にインセル位相差層及１４０Ｒ及びアウトセル位相差層１８１Ｒが存在しない状態と等価とすることが可能である。その結果、低反射を実現しながら、通常のＦＦＳモードと同等の光学特性を得ることができる。
【００１５】
しかしながら、比較形態３では、黒表示に極角が大きい方向から液晶モジュール１Ｒの輝度を測定した場合に、方位角によって輝度にばらつきが発生するという課題があり、測定方向の極角が大きくなればなるほど、輝度のばらつきも大きくなる。これは、λ／４板であるインセル位相差層１４０Ｒ及びアウトセル位相差層１８１Ｒのそれぞれにおいて、３つの主屈折率ｎｘ、ｎｙ及びｎｚが、ｎｘ＞ｎｙ≧ｎｚの関係を満たすこと、すなわち、インセル位相差層１４０Ｒ及びアウトセル位相差層１８１Ｒがともにｎｘ＞ｎｙ≧ｎｚの関係を満たすＡプレートであることが原因であり、図２３に示すように、極角が大きい場合（例えば、極角６０°において）、比較形態３の液晶モジュール１Ｒが備える液晶パネル１０Ｒの規格化透過率が方位角によってばらつくためである。
【００１６】
このような、黒表示に極角が大きい場合に方位角によって液晶モジュール１Ｒの輝度にばらつきが発生するという課題を解決する方法の１つとして、インセル位相差層にポジティブＡプレート（ｎｘ＞ｎｙ＝ｎｚ）を用い、アウトセル位相差層にネガティブＡプレート（ｎｙ＜ｎｘ＝ｎｚ）を用いる方法がある。これにより、極角が大きい場合に、黒表示時に方位角に依存して発生する液晶パネルの透過率のばらつきはほとんどなくなる。しかしながら、ネガティブＡプレートは、製造コストやフィルムの耐久性の面で課題がある。
【００１７】
上記特許文献１の液晶表示装置では、２枚のプリズムシートのプリズム溝の溝方向と液晶表示素子の画素の繰り返し方向に所定の角度を持たせるとともに、上記２枚のプリズムシートの溝方向を互いに直交させて配置することにより、モアレ縞を抑制している。しかしながら、上記特許文献１では、プリズムシートを備える液晶モジュールについて、極角が大きい場合に発生する、黒表示時における輝度の方位角依存性（深い極角での輝度変化）については何ら検討されていない。同様に、上記特許文献２及び３においても、極角が大きい場合に発生する、黒表示時における液晶モジュールの輝度の方位角依存性については何ら検討されていない。
【００１８】
本発明は、上記現状に鑑みてなされたものであり、耐久性及び製造コストに優れ、かつ、極角が大きい場合に、黒表示時に方位角に依存して発生するピーク輝度のばらつきが抑えられた液晶モジュールを提供することを目的とするものである。
【課題を解決するための手段】
【００１９】
本発明者らは、耐久性及び製造コストに優れ、かつ、極角が大きい場合に、黒表示時に方位角に依存して発生するピーク輝度のばらつきが抑えられた液晶モジュールについて種々検討したところ、液晶パネルの透過率特性と、プリズムシートを用いたバックライトの輝度特性と、に着目した。そして、最も観察面側に配置されたプリズムシートの凹凸形状部における稜線を、黒表示時に斜め方向において液晶パネルの透過率が最大となる方位に揃えることにより、液晶パネルの透過率とバックライトの輝度とを互いに補償し合うことができ、ネガティブＡプレートを用いなくとも、極角が大きい場合に、黒表示時に方位角に依存して発生する液晶モジュールのピーク輝度のばらつきを抑制することができることを見出した。これにより、上記課題をみごとに解決することができることに想到し、本発明に到達した。
【００２０】
すなわち、本発明の一態様は、第１基板、上記第１基板の観察面側に配置された第２基板、上記第１基板と上記第２基板との間に設けられた液晶層、上記第１基板の背面側に設けられた第１偏光子、上記第２基板と上記液晶層との間に設けられたインセル位相差層、及び、上記第２基板の観察面側に設けられた円偏光板、を有する液晶パネルと、上記液晶パネルの背面側に設けられたバックライトと、を備え、上記円偏光板は、第２偏光子と、上記第２基板と上記第２偏光子との間に設けられたアウトセル位相差層と、を有し、上記インセル位相差層は、λ／４板であり、かつ、３つの主屈折率がｎｘ＞ｎｙ＝ｎｚの関係を満たし、上記アウトセル位相差層は、λ／４板であり、かつ、３つの主屈折率がｎｘ＞ｎｙ≧ｎｚの関係を満たし、上記バックライトは、第１稜線を有する凹凸形状部を備える第１プリズムシートと、上記第１プリズムシートより背面側に配置され、かつ、上記第１稜線と直交する第２稜線を有する凹凸形状部を備える第２プリズムシートと、を備え、上記第１稜線は、黒表示時に斜め方向において上記液晶パネルの透過率が最大となる方位に対して平行である液晶モジュールであってもよい。
【００２１】
上記液晶パネルは、更に、上記第２基板と上記アウトセル位相差層との間にポジティブＣプレートを備え、上記円偏光板は、左円偏光板であり、黒表示時の上記液晶層における液晶分子の配向方位は、上記第１偏光子の吸収軸と平行であり、上記第２偏光子の吸収軸の方位角を０°とし、上記アウトセル位相差層のＮＺ係数をβとしたとき、上記第１稜線の方位角αは、下記式１を満たしてもよい。
１０×β＋３５≦α≦１０×β＋４５      （式１）
【００２２】
上記液晶パネルは、更に、上記第２基板と前記アウトセル位相差層との間にポジティブＣプレートを備え、上記円偏光板は、右円偏光板であり、黒表示時の上記液晶層における液晶分子の配向方位は、上記第１偏光子の吸収軸と平行であり、上記第２偏光子の吸収軸の方位角を０°とし、上記アウトセル位相差層のＮＺ係数をβとしたとき、上記第１稜線の方位角αは、下記式２を満たしてもよい。
−１０×β＋１３５≦α≦−１０×β＋１４５      （式２）
【００２３】
上記円偏光板は、右円偏光板であり、黒表示時の上記液晶層における液晶分子の配向方位は、上記第１偏光子の吸収軸と直交し、上記第１偏光子の吸収軸の方位角を０°としたとき、上記第１稜線の方位角αは、１１０°以上、１２０°以下であってもよい。
【００２４】
上記円偏光板は、左円偏光板であり、黒表示時の上記液晶層における液晶分子の配向方位は、上記第１偏光子の吸収軸と直交し、上記第１偏光子の吸収軸の方位角を０°としたとき、上記第１稜線の方位角αは、６０°以上、７０°以下であってもよい。
【発明の効果】
【００２５】
本発明によれば、耐久性及び製造コストに優れ、かつ、極角が大きい場合に、黒表示時に方位角に依存して発生するピーク輝度のばらつきが抑えられた液晶モジュールを提供することができる。
【図面の簡単な説明】
【００２６】
【図１】液晶モジュールにおける極角及び方位角の定義を説明するための図である。
【図２】実施形態１の液晶モジュールの断面模式図である。
【図３】実施形態１の液晶モジュールが備える液晶パネルの斜視分解模式図である。
【図４】実施形態１の液晶モジュールが備えるバックライトに関する図であり、（ａ）はバックライトの斜視分解模式図であり、（ｂ）はバックライトが備えるプリズムシートの斜視模式図である。
【図５】実施形態２の液晶モジュールの断面模式図である。
【図６】実施形態２の液晶モジュールが備える液晶パネルの斜視分解模式図である。
【図７】実施形態２の液晶モジュールに関する図であり、（ａ）は黒表示時における液晶パネルの規格化透過率の一例を示すグラフであり、（ｂ）はバックライトの規格化輝度の一例を示すグラフであり、（ｃ）は黒表示時における液晶モジュールの規格化輝度の一例を示すグラフである。
【図８】実施形態３の液晶モジュールが備える液晶パネルの斜視分解模式図である。
【図９】実施形態４の液晶モジュールの断面模式図である。
【図１０−１】実施形態４の液晶モジュールが備える液晶パネルの斜視分解模式図である。
【図１０−２】実施形態４の液晶モジュールに関する図であり、（ａ）は黒表示時における液晶パネルの規格化透過率の一例を示すグラフであり、（ｂ）はバックライトの規格化輝度の一例を示すグラフであり、（ｃ）は黒表示時における液晶モジュールの規格化輝度の一例を示すグラフである。
【図１１】実施形態５の液晶モジュールが備える液晶パネルの斜視分解模式図である。
【図１２】実施例１−１〜１−４の液晶モジュールに関する図であり、（ａ）は実施例１−１〜１−４の液晶パネルの斜視分解模式図であり、（ｂ）は実施例１−１〜１−４のバックライトの断面模式図である。
【図１３】実施例１−１〜１−４の液晶モジュールが備えるバックライトの、規格化輝度のシミュレーション結果を示すグラフである。
【図１４】実施例１−３の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。
【図１５】実施例２−１〜２−４の液晶モジュールが備える液晶パネルの斜視分解模式図である。
【図１６】実施例３−１〜３−５の液晶モジュールが備える液晶パネルの斜視分解模式図である。
【図１７】実施例３−１〜３−５の液晶モジュールが備えるバックライトの、規格化輝度のシミュレーション結果を示すグラフである。
【図１８】実施例３−４の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。
【図１９】実施例４−１〜４−５の液晶モジュールが備える液晶パネルの斜視分解模式図である。
【図２０】比較形態１の液晶モジュールの断面模式図である。
【図２１】比較形態２の液晶モジュールの断面模式図である。
【図２２】比較形態３の液晶モジュールに関する図であり、（ａ）は断面模式図であり、（ｂ）は斜視分解模式図である。
【図２３】比較形態３の液晶モジュールが備える液晶パネルの、黒表示時における規格化透過率のシミュレーション結果を示すグラフである。
【図２４】比較例１の液晶モジュールが備える液晶パネルの斜視分解模式図である。
【図２５】比較例１の液晶モジュールが備えるバックライトの、規格化輝度のシミュレーション結果を示すグラフである。
【図２６】比較例１の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。
【図２７】比較例２の液晶モジュールが備える液晶パネルの斜視分解模式図である。
【図２８】比較例２の液晶モジュールが備えるバックライトの、規格化輝度のシミュレーション結果を示すグラフである。
【図２９】比較例２の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。
【発明を実施するための形態】
【００２７】
以下、本発明の実施形態について説明する。本発明は、以下の実施形態に記載された内容に限定されるものではなく、本発明の構成を充足する範囲内で、適宜設計変更を行うことが可能である。
【００２８】
＜用語及び記号の定義＞
本明細書における用語及び記号の定義は下記の通りである。
（１）屈折率（ｎｘ、ｎｙ、ｎｚ）
「ｎｘ」は、面内の屈折率が最大になる方向（すなわち、遅相軸方向）の屈折率であり、「ｎｙ」は、面内で遅相軸と直交する方向の屈折率であり、「ｎｚ」は、厚み方向の屈折率である。屈折率は、特に断りのない限り、２３℃、波長５５０ｎｍの光に対する値を指す。
（２）面内位相差（Ｒｅ）
面内位相差（Ｒｅ）は、２３℃、特に明記しなければ波長５５０ｎｍにおける層（フィルム）の面内位相差をいう。Ｒｅは、層（フィルム）の厚みをｄ（ｎｍ）としたとき、Ｒｅ＝（ｎｘ−ｎｙ）×ｄによって求められる。本明細書中、特に断りのない限り、「位相差」は面内位相差を指す。
（３）厚み方向の位相差（Ｒｔｈ）
厚み方向の位相差（Ｒｔｈ）は、２３℃、特に明記しなければ波長５５０ｎｍにおける層（フィルム）の厚み方向の位相差をいう。Ｒｔｈは、層（フィルム）の厚みをｄ（ｎｍ）としたとき、Ｒｔｈ＝｛（ｎｘ＋ｎｙ）／２−ｎｚ｝×ｄによって求められる。本明細書中、厚み方向の位相差は、「厚み位相差」ともいう。
（４）ＮＺ係数
ＮＺ係数は、Ｎｚ＝（ｎｘ−ｎｚ）／（ｎｘ−ｎｙ）によって求められる。ＮＺ係数は、位相差板の２軸度合を示す数値である。
（５）λ／４板
λ／４板は、少なくとも波長５５０ｎｍの光に対して１／４波長（厳密には、１３７．５ｎｍ）の面内位相差を付与する位相差板をいい、１００ｎｍ以上、１７６ｎｍ以下の面内位相差を付与するものであればよい。ちなみに、波長５５０ｎｍの光は、人間の視感度が最も高い波長の光である。
（６）円偏光板
円偏光板は、入射する無偏光を円偏光に変換する偏光板をいう。ここで、円偏光とは、完全な円偏光（楕円率（短軸／長軸）＝１．００）のみならず、楕円率が０．９０以上、１．００未満の楕円偏光も含む。
（６）観察面側及び背面側
観察面側は、液晶モジュールの画面（表示面）に対してより近い側を意味し、背面側は、液晶モジュールの画面（表示面）に対してより遠い側を意味する。
（７）偏光子
本明細書中、「直線」が付されない「偏光子」は直線偏光子を指し、円偏光子（円偏光板）とは区別される。
（８）極角、方位、方位角
図１は、液晶モジュールにおける極角及び方位角の定義を説明するための図である。図１に示すように、液晶パネル又は液晶モジュールの画面の法線方向Ｅを基準とし、測定方向Ｆと法線方向Ｅとのなす角度を極角θとし、通常、０°以上、９０°以下の角度をとる。また、測定方向Ｆを画面上に射影したときの方向Ｇを方位とし、通常、０°以上、３６０°以下の角度をとる。また、画面上において基準となる方向（方位角０°）から方向Ｇまでの角度を方位角φとする。方位角φは、反時計回りを正の角度、時計回りを負の角度とする。反時計回り及び時計回りは、いずれも画面を観察面側（正面）から見たときの回転方向を表す。極角θは、単に極角ともいう。方位角φは、単に方位角ともいう。
【００２９】
＜実施形態１＞
液晶モジュールの表示モード（液晶配向モード）としては、正の誘電率異方性を有する液晶分子を基板法線方向から見たときに９０°捩れた状態で配向させるＴＮ（Ｔｗｉｓｔｅｄ  Ｎｅｍａｔｉｃ）モード、負の誘電率異方性を有する液晶分子を基板面に対して垂直配向させる垂直配向（ＶＡ：Ｖｅｒｔｉｃａｌ  Ａｌｉｇｎｍｅｎｔ）モードの他、広視野角特性を得やすい等の理由から、正又は負の誘電率異方性を有する液晶分子を基板面に対して水平配向させて液晶層に対し横電界を印加する面内スイッチング（ＩＰＳ：Ｉｎ−Ｐｌａｎｅ  Ｓｗｉｔｃｈｉｎｇ）モード及びフリンジ電界スイッチング（ＦＦＳ：Ｆｒｉｎｇｅ  Ｆｉｅｌｄ  Ｓｗｉｔｃｈｉｎｇ）モード等が挙げられる。
【００３０】
本実施形態における表示モードは特に限定されず、上記いずれの態様であってもよいが、ＦＦＳモード及びＩＰＳモードにおいて好ましく用いられ、ＦＦＳモードにおいてより好ましく用いられる。２枚のλ／４板を互いの遅相軸が直交するように液晶パネルの上下に配置する場合、液晶分子が常に面内に配向しているＦＦＳモード及びＩＰＳモードの液晶モジュールでは液晶分子の配向方位によらず透過率が一定になり、白黒の表示を行うことができないが、本実施形態によれば、ＦＦＳモード及びＩＰＳモードの液晶モジュールであっても、白黒の表示を実現しつつ、２枚のλ／４板を液晶モジュール内に配置することが可能となる。本実施形態では、一例として、ＦＦＳモードの液晶モジュールを取り上げて説明を行う。
【００３１】
図２は、実施形態１の液晶モジュールの断面模式図である。本実施形態の液晶モジュール１は、図２に示すように、観察面側から順に、液晶パネル１０及びバックライト２０を備える。
【００３２】
本実施形態の液晶モジュール１が備える液晶パネル１０は、図２に示すように、背面側から観察面側に向かって順に、第１偏光子１１０、第１基板１２０、液晶層１３０、λ／４板であるインセル位相差層１４０、第２基板１５０、透明導電膜（例えば、酸化インジウムスズ（ＩＴＯ：Ｉｎｄｉｕｍ  Ｔｉｎ  Ｏｘｉｄｅ）薄膜）１６０、円偏光板１８０、及び、反射防止膜１９０を備える。
【００３３】
第１基板１２０は、背面側から観察面側に向かって順に、ガラス等の透明基材からなる絶縁基板１２１と、薄膜トランジスタ（ＴＦＴ：Ｔｈｉｎ  Ｆｉｌｍ  Ｔｒａｎｓｉｓｔｏｒ／図示省略）と、電極層１２２と、を有する。ＴＦＴを有する第１基板１２０は、ＴＦＴ基板とも呼ばれる。
【００３４】
第２基板１５０は、背面側から観察面側に向かって順に、カラーフィルタ（ＣＦ：Ｃｏｌｏｒ  Ｆｉｌｔｅｒ）層１５１及びブラックマトリクス層１５２と、ガラス等の透明基材からなる絶縁基板１５３と、を有する。カラーフィルタ層１５１は、赤色カラーフィルタ、緑色カラーフィルタ及び青色カラーフィルタから構成される。カラーフィルタ層１５１を有する第２基板１５０は、ＣＦ基板とも呼ばれる。
【００３５】
液晶層１３０はシール材１３５により封止されている。円偏光板１８０は、背面側から観察面側に向かって順に、λ／４板であるアウトセル位相差層１８１、及び、第２偏光子１８２を有する。
【００３６】
本実施形態の液晶モジュール１が備えるバックライト２０は、図２に示すように、観察面側から背面側に向かって順に、第１プリズムシート２１０、第２プリズムシート２２０、拡散シート２３０及び導光板２４０を備える。バックライト２０は、更に、導光板２４０の側面に配置された光源２５０を有する。
【００３７】
図３は、実施形態１の液晶モジュールが備える液晶パネルの斜視分解模式図である。図３に示すように、第２偏光子１８２は、吸収軸１８２ａが第１偏光子１１０の吸収軸１１０ａに対して直交する。すなわち、第１偏光子１１０及び第２偏光子１８２は、互いの偏光軸が直交したクロスニコルの配置関係にある。このような構成によれば、電圧無印加時に、黒表示状態を好ましく実現することができる。液晶層１３０は、黒表示となる電圧を印加した際の（黒表示時の）液晶分子の配向方位１３０ａが第１偏光子１１０の吸収軸１１０ａ又は第２偏光子１８２の吸収軸１８２ａに対して直交し、白表示となる電圧を印加した際の（白表示時の）液晶分子の配向方位１３０ｂが黒表示時の液晶分子の配向方位１３０ａに対して略４５°の角度をなす。インセル位相差層１４０は、遅相軸１４０ａが第１偏光子１１０の吸収軸１１０ａに対して略４５°又は略１３５°の角度をなす。アウトセル位相差層１８１は、遅相軸１８１ａがインセル位相差層１４０の遅相軸１４０ａに対して直交する。
【００３８】
なお、本明細書において、２つの軸（第１偏光子１１０の吸収軸１１０ａ、第２偏光子１８２の吸収軸１８２ａ、液晶分子の配向方位１３０ａ、１３０ｂ、インセル位相差層１４０の遅相軸１４０ａ、及び、アウトセル位相差層１８１の遅相軸１８１ａのうちのいずれか２つ）が直交するとは、両者のなす角度（絶対値）が９０±３°の範囲内であることを指し、好ましくは９０±１°の範囲内であり、より好ましくは９０±０．５°の範囲内であり、特に好ましくは９０°（完全に直交）である。２つの軸（第１偏光子１１０の吸収軸１１０ａ、第２偏光子１８２の吸収軸１８２ａ、液晶分子の配向方位１３０ａ、１３０ｂ、インセル位相差層１４０の遅相軸１４０ａ、及び、アウトセル位相差層１８１の遅相軸１８１ａのうちのいずれか２つ）が平行であるとは、両者のなす角度（絶対値）が０±３°の範囲内であることを指し、好ましくは０±１°の範囲内であり、より好ましくは０±０．５°の範囲内であり、特に好ましくは０°（完全に平行）である。２つの軸（第１偏光子１１０の吸収軸１１０ａ、第２偏光子１８２の吸収軸１８２ａ、液晶分子の配向方位１３０ａ、１３０ｂ、インセル位相差層１４０の遅相軸１４０ａ、及び、アウトセル位相差層１８１の遅相軸１８１ａのうちのいずれか２つ）が略４５°の角度をなすとは、両者のなす角度（絶対値）が４５±３°の範囲内であることを指し、好ましくは４５±１°の範囲内であり、より好ましくは４５±０．５°の範囲内であり、特に好ましくは４５°である。２つの軸（第１偏光子１１０の吸収軸１１０ａ、第２偏光子１８２の吸収軸１８２ａ、液晶分子の配向方位１３０ａ、１３０ｂ、インセル位相差層１４０の遅相軸１４０ａ、及び、アウトセル位相差層１８１の遅相軸１８１ａのうちのいずれか２つ）が略１３５°の角度をなすとは、両者のなす角度（絶対値）が１３５±３°の範囲内であることを指し、好ましくは１３５±１°の範囲内であり、より好ましくは１３５±０．５°の範囲内であり、特に好ましくは１３５°である。
【００３９】
本実施形態では、第２偏光子１８２とλ／４板であるアウトセル位相差層１８１とを組み合わせることにより、円偏光板１８０として機能させることが可能である。透明導電膜１６０での反射、及び、ブラックマトリクス層１５２での反射は、円偏光板１８０によりカットすることができる。また、第２偏光子１８２表面での反射は、反射防止膜１９０によりカットすることができる。
【００４０】
更に、インセル位相差層１４０及びアウトセル位相差層１８１は、いずれもλ／４板であり、インセル位相差層１４０及びアウトセル位相差層１８１の遅相軸は互いに直交するため、インセル位相差層１４０の位相差とアウトセル位相差層１８１の位相差とを互いにキャンセルすることができ、実質的にインセル位相差層１４０及びアウトセル位相差層１８１が存在しない状態が実現される。その結果、低反射を実現しながら、通常のＦＦＳモードと同等の光学特性を得ることができる。すなわち、第２基板１５０を挟んで配置された２枚のλ／４板（インセル位相差層１４０及びアウトセル位相差層１８１）の遅相軸が互いに直交するため、インセル位相差層１４０及びアウトセル位相差層１８１の位相差が互いに打ち消し合う方向に作用し、好ましくは位相差が互いにキャンセルされ、それらが無いものとみなすことできる。その結果、透過表示を考えると、通常のＦＦＳモードと同じとみなすことが可能となる。
【００４１】
本実施形態における液晶パネル１０の黒表示時の斜め方向（すなわち、０°を超える極角）おける規格化透過率は、方位角φ（０°〜３６０°）によって差がある。これは、インセル位相差層１４０が、３つの主屈折率がｎｘ＞ｎｙ＝ｎｚの関係を満たすポジティブＡプレートであり、アウトセル位相差層１８１が、３つの主屈折率がｎｘ＞ｎｙ≧ｎｚの関係を満たすＡプレートであり、アウトセル位相差層１８１がネガティブＡプレートではなく、この場合、上述のように、インセル位相差層１４０及びアウトセル位相差層１８１では視野角補償が不充分であるためである。また、黒表示時の斜め方向おける液晶パネル１０の規格化透過率と方位角との関係を示すグラフ（以下、規格化透過率グラフ、ともいう）は、透過率が最大である（最大ピーク透過率を有する）ピークを２つ有し、上記最大ピーク透過率を有する２つのピークが現れる方位は、反対方向であり、互いに１８０°の角度をなす。これは、液晶パネルを構成する偏光板、位相差板の軸及び液晶分子の配向方向が、いずれも直線状であることに起因する。例えば、直線偏光板の吸収軸が、方位角０°及び１８０°を結ぶ直線と平行である場合、方位角０°及び１８０°における液晶パネルの透過率は互いに等しくなる。これは、直線偏光板の他に位相差板や液晶層が設けられていても変わらないため、基本的には、互いに１８０°の角度をなす方位において、液晶パネルは同じ特性（光学特性）を有する。また、上記規格化透過率グラフは、上記最大ピーク透過率を有する２つのピークのうち一方のピークが現れる方位から反時計回りに他方のピークが現れる方位までの間に、上記最大ピーク透過率よりもピーク透過率の低いピークを少なくとも１つ有するとともに、上記他方のピークが現れる方位から反時計回りに上記一方のピークが現れる方位までの間に、上記最大ピーク透過率よりもピーク透過率の低いピークを少なくとも１つ有する。液晶パネル１０において、最大ピーク透過率を有する２つのピークの間に、最大ピーク透過率より透過率の低いピークを少なくとも１つ有する理由は次のように考えられる。すなわち、本実施形態では、ポジティブＡプレートであるインセル位相差層１４０の位相差をキャンセルするために、アウトセル位相差層１８１（又は、アウトセル位相差層１８１と後述のポジティブＣプレートとからなる層）を用いているが、アウトセル位相差層１８１（又は、アウトセル位相差層１８１と後述のポジティブＣプレートとからなる層）は、ネガティブＡプレートと完全に等価ではないため、方位によって透過率が異なるためと考えらえる。
【００４２】
上述の液晶パネル１０の黒表示時における規格化透過率の方位角依存性は、理論的には０°より大きな極角であれば発生し得るが、通常は、ある程度の極角、例えば３０°以上の極角で測定することができる。本明細書において、規格化透過率とは、透過率の最大値を１として規格化した透過率である。また、本明細書において液晶パネル１０の規格化透過率を求める際は、上記規格化透過率を求める際と同じ極角において、方位角φ＝０°から３６０°での規格化輝度が１．０であるバックライトを用いる。
【００４３】
次に、本実施形態のバックライト２０について説明する。図４は、実施形態１の液晶モジュールが備えるバックライトに関する図であり、（ａ）はバックライトの斜視分解模式図であり、（ｂ）はバックライトが備えるプリズムシートの斜視模式図である。図４に示すように、バックライト２０は、観察面側から背面側に向かって順に、第１稜線２１０ａを有する凹凸形状部２１１と平面部２１２とを備える第１プリズムシート２１０、第１稜線２１０ａと直交する第２稜線２２０ａを有する凹凸形状部２２１と平面部２２２とを備える第２プリズムシート２２０、拡散シート２３０及び導光板２４０を備え、導光板２４０の側面には、発光ダイオード（ＬＥＤ：Ｌｉｇｈｔ  Ｅｍｉｔｔｉｎｇ  Ｄｉｏｄｅ）等の光源２５０が配置される。なお、本明細書において、第１稜線及び第２稜線が直交するとは、両者のなす角度（絶対値）が９０±５°の範囲内であることを指し、好ましくは９０±３°の範囲内であり、より好ましくは９０±１°の範囲内であり、特に好ましくは９０°（完全に直交）である。
【００４４】
図４（ｂ）に示すように、第１、第２プリズムシート２１０、２２０における平面部２１２、２２２は、それぞれ、観察面側及び背面側の面が平坦な構造を有する。第１、第２プリズムシート２１０、２２０における凹凸形状部２１１、２２１は、それぞれ、長手形状の複数の柱状構造を有し、上記複数の柱状構造の長手方向は、互いに平行であり、かつ、平面部２１２、２２２に対して平行である。上記柱状構造は、例えば、三角柱状である。本実施形態では、上記柱状構造が三角柱状である、すなわち、凹凸形状部２１１、２２１が三角プリズム状である第１、第２プリズムシート２１０、２２０について説明する。第１、第２プリズムシート２１０、２２０における第１、第２稜線２１０ａ、２２０ａは、凹凸形状部２１１、２２１の凸部の頂点が線状に連続したものであり、いずれも直線状である。
【００４５】
極角が大きい場合、例えば、極角６０°において、本実施形態におけるバックライト２０の規格化輝度は、方位角φ（０°〜３６０°）によって差があり、観察面側のプリズムシートである第１プリズムシート２１０の第１稜線２１０ａの方位の輝度に対して、観察面側からより遠いプリズムシートである第２プリズムシート２２０の第２稜線２２０ａの方位の輝度の方が高くなる。より具体的には、バックライト２０の規格化輝度グラフは、第１プリズムシート２１０における第１稜線２１０ａと平行な２方位に、ピーク輝度が最小である（最小ピーク輝度を有する）２つのピークを有する。更に、上記規格化輝度グラフは、第２プリズムシート２２０における第２稜線２２０ａと平行な２方位に上記最小ピーク輝度よりもピーク輝度の高い（最大ピーク輝度を有する）２つのピークを有する。第１稜線２１０ａは、上述のように第２稜線２２０ａと直交することから、上記最小ピーク輝度を有する２つのピークは、それぞれ、上記最大ピーク輝度を有する２つのピークのうちの一方が現れる方位から反時計回りに他方のピークが現れる方位までの間、及び、上記他方のピークが現れる方位から反時計回りに上記一方のピークが現れる方位までの間に位置し、上記最小ピーク輝度を有する２つのピークのうちの一方が現れる方位は、上記最大ピーク輝度を有する２つのピークが現れる方位と互いに直交し、かつ、上記最小ピーク輝度を有する２つのピークのうちの他方が現れる方位は、上記最大ピーク輝度を有する２つのピークが現れる方位と互いに直交する。なお、本明細書において、上記規格化輝度グラフにおける２つのピークが現れる方位が互いに直交するとは、両者のなす角度（絶対値）が９０±５°の範囲内であることを指し、好ましくは９０±３°の範囲内であり、より好ましくは９０±１°の範囲内であり、特に好ましくは９０°である。
【００４６】
極角が大きい場合に、バックライト２０の規格化輝度グラフが上記のようなピークを有する理由は、次のように考えることができる。プリズムシートはその稜線に直交する方位の斜め輝度を正面方向に集光させる機能を有するが、極角θを倒していくと、低下していた輝度が再度上昇する「サイドローブ」と呼ばれる現象が発生し、そのサイドローブは２枚積層したプリズムシートの観察面側のプリズムシート、すなわち第１プリズムシート２１０の影響を強く受けるためである。すなわち、第１プリズムシート２１０の第１稜線２１０ａに直交する方位である第２プリズムシート２２０の第２稜線２２０ａと平行な２方位に、最大ピーク輝度を有する２つのピークが現れ、第２プリズムシート２２０の第２稜線２２０ａに直交する方位である第１プリズムシート２１０の第１稜線２１０ａと平行な２方位に、最小ピーク輝度を有する２つのピークが現れる。
【００４７】
上述のバックライト２０の規格化輝度の方位角依存性、すなわち上記サイドローブは、測定方向の極角が大きい場合に発生する。具体的には、通常極角が４５°以上の場合に現れ、極角が６０°以上、９０°未満の場合により確実に発生し得る。
【００４８】
本実施形態では、極角が大きい場合に、黒表示時の液晶パネル１０の透過率及びバックライト２０の輝度の方位角に対する振幅を、互いに補償し合うように液晶モジュール１を設計する。より具体的には、最も観察面側に配置された第１プリズムシート２１０の第１稜線２１０ａを、黒表示時に斜め方向において液晶パネル１０の透過率が最大となる方位（以下、透過率最大方位、ともいう）に対して平行となるように配置する。このような態様とすることにより、上記規格化透過率グラフにおいて最大ピーク透過率を有するピークを、上記規格化輝度グラフにおいて最小ピーク輝度を有するピークに重ね合わせることが可能となり、すなわち、極角が大きい場合に、黒表示時において液晶パネル１０の透過率が最大となる方位を、バックライト２０のピーク輝度が最小となる方位に揃えることが可能となり、黒表示時に、液晶パネル１０の透過率が最大となる方位において、液晶モジュール１の輝度を抑えることができる。
【００４９】
更に、極角が大きい場合に、黒表示時において液晶パネル１０の透過率が最大ピーク透過率よりも低い範囲（上記最大ピーク透過率を有する２つのピークのうち一方のピークが現れる方位から反時計回りに他方のピークが現れる方位までの間、及び、上記他方のピークが現れる方位から反時計回りに上記一方のピークが現れる方位までの間）に、バックライト２０のピーク輝度が最大となる方位を配置することが可能となり、黒表示時に液晶パネル１０の透過率が最大透過率よりも低い範囲において、液晶モジュール１の輝度を高めることができる。
【００５０】
その結果、極角が大きい場合に、黒表示時における液晶パネル１０の透過率とバックライト２０の輝度とを互いに補償し合うことが可能となり、製造コスト及び耐久性に課題のあるネガティブＡプレートを用いなくとも、黒表示時に方位角に依存して発生するピーク輝度のばらつきが抑えられた液晶モジュール１を得ることができる。このように、本実施形態では、液晶パネル１０の透過率特性と、第１プリズムシート２１０及び第２プリズムシート２２０を用いたバックライト２０の輝度特性とを組み合わせ、液晶モジュール１のトータル性能を高める工夫を行っている。本実施形態のこのような効果は、上述のサイドローブによるバックライト２０の輝度の方位角依存性に基づくものであることから、極角が大きい場合、具体的には、通常、極角が４５°以上の場合に得ることができ、極角が６０°以上、９０°未満の場合であれば、より確実に得ることができる。
【００５１】
なお、本明細書において、第１プリズムシート２１０の第１稜線２１０ａが液晶パネル１０の透過率が最大となる方位に対して平行になるとは、第１稜線２１０ａと透過率最大方位とのなす角度（絶対値）が０±５°の範囲内であることを指し、好ましくは０±３°の範囲内であり、より好ましくは０±１°の範囲内であり、特に好ましくは０°（完全に平行）である。
【００５２】
また、上記黒表示とは、理想的な完全な黒（透過率＝０％）を表示した状態を意味するのではなく、最低階調を表示した状態を意味する。したがって、液晶パネル１０が黒表示時に、上述のように、方位角によって変化する透過率を有することは可能である。
【００５３】
また、液晶パネル１０は、理論的には、斜め方向において、すなわち、０°を超える極角において、透過率最大方位を有するが、極角が小さい場合、上記最大ピーク透過率と最小ピーク透過率（最も低いピーク透過率）との差は小さくなり、通常、透過率最大方位の測定は困難である。したがって、液晶パネル１０の透過率最大方位は、ある程度の極角、例えば３０°以上、９０°未満の極角で測定することが好ましく、これにより、透過率最大方位をより確実に求めることが可能となる。なお、上記透過率最大方位は、極角に依らず一定であるため、どのような極角で特定された透過率最大方位に対して第１プリズムシート２１０の第１稜線２１０ａを平行に配置したとしても、その極角以外の極角において透過率最大方位と第１稜線２１０ａとの平行関係が崩れることはない。また、上記透過率最大方位は、例えば、視野角測定装置（ＥＺＣｏｎｔｒａｓｔ、ＥＬＤＩＭ社製）にて測定することができる。
以下、各構成について更に説明する。
【００５４】
（液晶パネル）
液晶パネル１０のピーク透過率比は、０．３以上、０．９以下であることが好ましい。なお、本明細書におけるピーク透過率比とは、極角θ＝６０°において、方位角φ＝０°から３６０°までの透過率のうち最も高い透過率を１とした時、最大透過率ではないその他のピーク透過率のうち、最も低いピーク透過率の最大透過率に対する割合と定義する。
【００５５】
液晶パネル１０の、黒表示時の斜め方向における規格化透過率グラフでは、上述のように、最大ピーク透過率を有する２つのピークが現れるが、上記２つのピークの透過率が完全に一致しない場合もあり、上記最大ピーク透過率を有する２つのピークは、一方のピークの透過率が他方のピークの透過率の９０％以上、１１０％以下であればよい。液晶層１３０に含まれる液晶分子のプレチルト角（第１基板１２０及び第２基板１５０の表面に対して液晶分子の長軸が形成する角度）が０°の場合、ピークＰＡ１及びＰＡ３の透過率は互いに一致し、プレチルト角が０°ではない場合、ピークＰＡ１及びＰＡ３の透過率は完全には一致しない。
【００５６】
上述のように、本実施形態における液晶パネル１０の、黒表示時の斜め方向における上記規格化透過率グラフは、上記最大ピーク透過率を有する２つのピークのうち一方のピークが現れる方位から反時計回りに他方のピークが現れる方位までの間に、上記最大ピーク透過率よりもピーク透過率の低いピーク（以下、第１の低透過率ピークともいう）を少なくとも１つ有するとともに、上記他方のピークが現れる方位から反時計回りに上記一方のピークが現れる方位までの間に、上記最大ピーク透過率よりもピーク透過率の低いピーク（以下、第２の低透過率ピークともいう）を少なくとも１つ有する。上記第１、第２の低透過率ピークは、それぞれ、１つ以上３つ以下であることが好ましく、１つ以上、２つ以下であることがより好ましく、１つであることが更に好ましい。
【００５７】
上記規格化透過率グラフにおいて、上記第１の低透過率ピークの数は、上記第２の低透過率ピークの数と同じである。また、上記規格化透過率グラフでは、１８０°毎に、略同じ規格化透過率を有するピークが現れる。これについても、液晶パネルを構成する偏光板、位相差板の軸及び液晶分子の配向方向が、いずれも直線状であることに起因する。また、略同じ規格化透過率とは、２つのピークの透過率を比較した際に、一方のピークの透過率が他方のピークの透過率の９０％以上、１１０％以下であることをいう。
【００５８】
（バックライト）
バックライト２０のピーク輝度比は、０．６０以上、０．９５以下であることが好ましく、０．６５以上、０．９０以下であることがより好ましい。本明細書におけるピーク輝度比とは、極角θ＝６０°における方位角φ＝０°から３６０°までの輝度のうち最も高いピーク輝度（最大ピーク輝度）を１とした時、最大輝度ではないその他のピーク輝度のうち、最も低いピーク輝度（最小ピーク輝度）の最大ピーク輝度に対する割合と定義する。
【００５９】
極角が大きい場合におけるバックライト２０の規格化輝度グラフでは、上述のように、最大ピーク輝度を有する２つのピークが現れるが、上記２つのピークの輝度が互いに完全に一致しない場合もあり、上記最大ピーク輝度を有する２つのピークは、一方のピークの輝度が他方のピークの輝度の９０％以上、１１０％以下であればよい。また、極角が大きい場合におけるバックライト２０の規格化輝度グラフでは、上述のように、最小ピーク輝度を有する２つのピークが現れるが、上記２つのピークの輝度が互いに完全に一致しない場合もあり、上記最小ピーク輝度を有する２つのピークは、一方のピークの輝度が他方のピークの輝度の９０％以上、１１０％以下であればよい。このように、最大ピーク輝度を有する２つのピークの輝度が互いに完全に一致しないのは、シート状の第１、第２プリズムシート２１０、２２０の、僅かなたわみ等の影響により生じる誤差であると考えられる。最小ピーク輝度を有する２つのピークの輝度が互いに完全に一致しないのも同様の理由によると考えられる。
【００６０】
（偏光子）
第１偏光子１１０及び第２偏光子１８２としては、目的に応じて任意の適切な偏光子が採用され得る。例えば、ポリビニルアルコール系フィルム、部分ホルマール化ポリビニルアルコール系フィルム、エチレン・酢酸ビニル共重合体系部分ケン化フィルム等の親水性ポリマーフィルムに、ヨウ素や二色性染料等の二色性物質（二色性色素）を吸着させて一軸延伸したもの、ポリビニルアルコールの脱水処理物やポリ塩化ビニルの脱塩酸処理物等ポリエン系配向フィルム等が挙げられる。これらのなかでも、ポリビニルアルコール系フィルムにヨウ素等の二色性物質（二色性色素）を吸着させて一軸延伸した偏光子が、偏光二色比が高く特に好ましい。これら偏光子の厚さは特に制限されないが、一般的に、５〜３０μｍ程度である。
【００６１】
第１偏光子１１０及び第２偏光子１８２は、各々、背面側及び観察面側に保護層が設けられていてもよい。上記保護層は、偏光子の保護層として使用できる任意の適切なフィルムで形成される。当該フィルムの主成分となる材料の具体例としては、例えば、トリアセチルセルロース等のセルロース系樹脂や、シクロオレフィン系樹脂等の透明樹脂等が挙げられる。第１偏光子１１０及び第２偏光子１８２の液晶層１３０側に保護層を設ける場合、該保護層（内側保護層）は、光学的に等方性を有することが好ましい。
【００６２】
（第１基板）
第１基板１２０は、絶縁基板１２１と、走査線と、データ線と、上記走査線及び上記データ線に接続されたＴＦＴと、電極層１２２と、を液晶層１３０側に向かって順に有し、電極層１２２は、面状の共通電極と、絶縁膜と、スリットが形成された画素電極と、を液晶層１３０側に向かって順に有する。なお、共通電極と画素電極との配置を入れ替え、面状の画素電極の液晶層１３０側に、スリットが形成された共通電極を形成してもよい。
【００６３】
また、本実施形態では、ＦＦＳモードの液晶モジュール１について説明するが、液晶モジュール１は、電極層１２２において、櫛歯部を有する共通電極と櫛歯部を有する画素電極とが、互いの櫛歯部が噛み合うように対向して配置されるＩＰＳモードの液晶モジュールであってもよい。ＦＦＳモード及びＩＰＳモードの液晶モジュールにおける共通電極及び画素電極の電極対はともに、液晶層１３０に横電界を発生させる。
【００６４】
（液晶層）
液晶層１３０は、液晶分子を含む。本実施形態の液晶モジュール１は、液晶層１３０に対して電圧を印加し、印加した電圧に応じて液晶分子の配向状態を変化させることにより、光の透過量を制御するものである。液晶層１３０において、電圧が印加されていない状態における液晶分子の配向は、第１基板１２０に対して平行となるように制御される。
【００６５】
（位相差層）
インセル位相差層１４０及びアウトセル位相差層１８１は、それぞれ、複屈折材料などを利用して直交する２つの偏光成分に位相差をつけて、入射偏光の状態を変える層である。インセル位相差層１４０は、λ／４板であり、かつ、３つの主屈折率がｎｘ＞ｎｙ＝ｎｚの関係を満たすポジティブＡプレートである。アウトセル位相差層１８１は、λ／４板であり、かつ、３つの主屈折率がｎｘ＞ｎｙ≧ｎｚの関係を満たすＡプレートである。また、このようなインセル位相差層１４０及びアウトセル位相差層１８１は、ネガティブＡプレートより製造コスト及び耐久性に優れる。ここで、「３つの主屈折率がｎｘ＞ｎｙ＝ｎｚの関係を満たす」とは、ＮＺ係数が０．９以上、１．１以下であることをいう。また、「３つの主屈折率がｎｘ＞ｎｙ≧ｎｚの関係を満たす」とは、ＮＺ係数が０．９以上であることをいう。インセル位相差層１４０の遅相軸１４０ａとアウトセル位相差層１８１の遅相軸１８１ａとは、互いに直交している。
【００６６】
アウトセル位相差層１８１のＮＺ係数（β）は、１．０以上、２．５以下であることが好ましく、１．０以上、２．０以下であることがより好ましい。ＮＺ係数（β）が２．５を超えると、λ／４板であるアウトセル位相差層１８１を製造することが材料的に困難となることがある。
【００６７】
インセル位相差層１４０としては、液晶化合物の配向を固定したもの、特に、配向処理を施した膜（配向膜）上に、リアクティブメソゲン等の液晶材料を並ばせた位相差層が好ましく用いられる。このような態様とすることにより、ポジティブＡプレートであるインセル位相差層１４０の膜厚を薄くすることが可能となり、液晶モジュール１の視差混色を抑えることが可能となる。
【００６８】
インセル位相差層１４０の形成方法としては、例えば、配向処理を施した基材フィルムの上に液晶化合物を含む液晶材料を塗布し、配向固定する方法等を用いることができる。上記液晶化合物としては、重合性液晶が好適である。所望の位相差が発現してさえいれば、基材フィルムに特別な配向処理を行わない方法や、配向固定した後、基材フィルムから剥がして別のフィルムに転写加工する方法等であってもよい。更に、液晶材料の配向を固定しない方法を用いてもよい。
【００６９】
上記重合性液晶とは、重合性基を有し、かつ、液晶性を有する化合物である。重合性基は、重合反応に関与する基を意味し、光重合性基であることが好ましい。ここで、光重合性基とは、光重合開始剤から発生した活性ラジカルや酸等によって重合反応に関与し得る基のことをいう。重合性基としては、ビニル基、ビニルオキシ基、１−クロロビニル基、イソプロペニル基、４−ビニルフェニル基、アクリロイルオキシ基、メタクリロイルオキシ基、オキシラニル基、オキセタニル基等が挙げられる。なかでも、アクリロイルオキシ基、メタクリロイルオキシ基、ビニルオキシ基、オキシラニル基及びオキセタニル基が好ましく、アクリロイルオキシ基がより好ましい。液晶性はサーモトロピック液晶でもリオトロピック液晶でもよく、サーモトロピック液晶を秩序度で分類すると、ネマチック液晶でもスメクチック液晶でもよいが、成膜の容易さという観点からは、サーモトロピック性のネマチック液晶が好ましい。
【００７０】
上記重合性液晶の具体例としては、液晶便覧（液晶便覧編集委員会編、丸善（株）平成１２年１０月３０日発行）の「３．８．６ ネットワーク（完全架橋型）」、「６．５．１ 液晶材料 ｂ．重合性ネマチック液晶材料」に記載された化合物の中で重合性基を有する化合物、特開２０１０−３１２２３号公報、特開２０１０−２７０１０８号公報、特開２０１１−６３６０号公報および特開２０１１−２０７７６５号公報記載の重合性液晶が挙げられる。
【００７１】
アウトセル位相差層１８１は、インセル位相差層１４０と同様に形成することができる。アウトセル位相差層１８１は、例えば、配向処理を施した基材フィルムの上に液晶化合物を含む液晶材料を塗布し、配向固定することにより形成することができる。また、上記配向固定を行った後、基材フィルムから剥がして直線偏光板に転写加工する方法を用いることにより、アウトセル位相差層１８１及び直線偏光板（第２偏光子１８２）を有する円偏光板１８０とすることができる。アウトセル位相差層１８１は、市販の位相差フィルム（例えば、ゼオノアフィルム（日本ゼオン社製））を延伸する方法により形成することもできる。
【００７２】
（配向膜）
第１基板１２０及び第２基板１５０の液晶層１３０側には、それぞれ、配向膜が配置されていてもよい。上記配向膜は、電圧が印加されていない状態における液晶分子の配向を制御する機能を有する。本実施形態では、配向膜として、電圧が印加されていない状態における液晶分子の配向を第１基板１２０及び第２基板１５０に対して平行となるように制御する水平配向膜を用いる。
【００７３】
（透明導電膜）
透明導電膜１６０は、静電気による表示不良の対策のために液晶パネル１０表面に配置される層であり、スパッタリング法等により成膜して形成することができる。透明導電膜１６０は、例えば、酸化インジウムスズ（ＩＴＯ）、酸化インジウム亜鉛（ＩＺＯ）、酸化亜鉛（ＺｎＯ）、酸化スズ（ＳｎＯ）等の透明導電膜材料、又は、それらの合金を含むものである。ＩＴＯを含む透明導電膜１６０は、シールドＩＴＯとも呼ばれる。
【００７４】
（円偏光板）
円偏光板１８０は、背面側から観察面側に向かって順に、アウトセル位相差層１８１及び第２偏光子１８２を有し、アウトセル位相差層１８１の遅相軸１８１ａは、第２偏光子１８２の吸収軸１８２ａに対して反時計回りに４５°、又は、時計回りに４５°の角度をなす。円偏光板１８０は、観察面側から入射する光を円偏光に変換する機能を有し、透明導電膜１６０での反射、及び、ブラックマトリクス層１５２での反射をカットすることができる。
【００７５】
（反射防止膜）
反射防止膜１９０は、第２偏光子１８２の表面での反射を抑える機能を有する。反射防止膜１９０としては、例えば、ＡＲ（Ａｎｔｉ  Ｒｅｆｌｅｃｔｉｏｎ）フィルム、ＬＲ（Ｌｏｗ  Ｒｅｆｌｅｃｔｉｏｎ）フィルム、モスアイフィルム等が挙げられる。ＡＲフィルム及びＬＲフィルムは、光学干渉を利用して反射光強度を低減させるフィルムである。モスアイフィルムは、光の波長よりも小さな数百ｎｍ周期の凹凸構造をフィルム上に設けることにより、滑らかな屈折率分布を形成し、反射光強度を低減させるフィルムである。
【００７６】
（プリズムシート）
図４に示すように、第１プリズムシート２１０及び第２プリズムシート２２０は、それぞれ、拡散シート２３０からの出射光を、液晶モジュール１の観察面側の正面方向に集める機能を有する。第１プリズムシート２１０は、平面部２１２と、平面部２１２の観察面側の表面に配置された凹凸形状部２１１と、を備える。第２プリズムシート２２０は、平面部２２２と、平面部２２２の観察面側の表面に配置された凹凸形状部２２１と、を備える。
【００７７】
第１プリズムシート２１０及び第２プリズムシート２２０が備える第１稜線２１０ａ及び第２稜線２２０ａは互いに直交する。プリズムシートは、その稜線に直交する方位の斜め輝度を正面方向に集光させるため、第１稜線２１０ａ及び第２稜線２２０ａが互いに直交するよう配置することにより、液晶モジュール１の面内の輝度をより均一に向上させることができる。第１プリズムシート２１０及び第２プリズムシート２２０としては、例えば、３Ｍ社製のＢＥＦシリーズを用いることができる。
【００７８】
第１、第２稜線２１０ａ、２２０ａに直交する断面における凹凸形状部２１１、２２１の形状は、三角形であることが好ましく、凸部の頂点を挟む二辺の長さが等しい二等辺三角形であることがより好ましい。本実施形態のバックライト２０は、第１、第２プリズムシート２１０、２２０の凹凸形状部２１１、２２１の頂角２１０ｂ、２２０ｂやピッチ２１０ｃ、２２０ｃによって、上述のような輝度特性（深い極角での輝度の方位角依存性）が大きく変化することはない。そのため、第１、第２プリズムシート２１０、２２０が有する凹凸形状部２１１、２２１の頂角２１０ｂ、２２０ｂ、ピッチ２１０ｃ、２２０ｃ、及び、凸部の高さ２１０ｄ、２２０ｄ等は適宜設定することができる。
【００７９】
（導光板）
本実施形態のバックライト２０は導光板２４０を備えることが好ましい。導光板２４０は、板状であり、ポリカーボネート樹脂やポリメチルメタクリレート樹脂等の透明樹脂で成形される。導光板２４０の観察面側は、光が出射する出光面となっている。導光板２４０は、光源２５０から導光板２４０内へ導入された光を、導光して出光面に導き、出光面全体が均一に光るようにしたものである。
【００８０】
（拡散シート）
本実施形態のバックライト２０は拡散シート２３０を備えることが好ましい。拡散シート２３０は、半透明な樹脂フィルムであり、導光板２４０の出光面から発せられた光を拡散させて光の指向特性を広げる機能を有する。
【００８１】
本実施形態では、拡散シート２３０及び導光板２４０を設けたが、拡散シート２３０及び導光板２４０のいずれか一方のみ設けてもよい。また、本実施形態では、光源２５０を導光板２４０の側面に配置するエッジ型とするが、光源２５０を液晶パネル１０の全面に配置する直下型としてもよく、この場合、拡散シート及び導光板２４０を省略することもできる。
【００８２】
以下では、本実施形態の液晶モジュール１が備える液晶パネルのより具体的かつ好適な積層構造を挙げて、液晶モジュールについて説明する。
【００８３】
＜実施形態２＞
本実施形態では、実施形態１の液晶モジュール１が備える液晶パネル１０の、より具体的かつ好適な態様について説明する。図５は、実施形態２の液晶モジュールの断面模式図である。本実施形態の液晶モジュール１が備える液晶パネル１０は、図５に示すように、背面側から観察面側に向かって順に、第１偏光子１１０、第１基板１２０、液晶層１３０、インセル位相差層１４０、第２基板１５０、透明導電膜１６０、視野角補償フィルムとしてのポジティブＣプレート１７０、円偏光板１８０、及び、反射防止膜１９０を備える。円偏光板１８０は、左円偏光板であり、背面側から観察面側に向かって順に、アウトセル位相差層１８１及び第２偏光子１８２を有する。すなわち、本実施形態の液晶モジュール１が備える液晶パネル１０は、実施形態１の液晶モジュール１が備える液晶パネル１０の積層構造に加えて、更に、第２基板１５０及びアウトセル位相差層１８１の間にポジティブＣプレート１７０を備える。本実施形態の液晶モジュール１が備えるバックライト２０は、実施形態１の液晶モジュール１が備えるバックライト２０と同様である。
【００８４】
図６は、実施形態２の液晶モジュールが備える液晶パネルの斜視分解模式図である。図６に示すように、第２偏光子１８２は、吸収軸１８２ａが第１偏光子１１０の吸収軸１１０ａに対して直交する。液晶層１３０は、黒表示時の液晶分子の配向方位１３０ａが第１偏光子１１０の吸収軸１１０ａと平行である。インセル位相差層１４０は、遅相軸１４０ａが第１偏光子１１０の吸収軸１１０ａに対して略４５°の角度をなす。アウトセル位相差層１８１は、遅相軸１８１ａがインセル位相差層１４０の遅相軸１４０ａに対して直交する。より具体的には、第２偏光子１８２の吸収軸１８２ａの方位角を０°とすると、第１偏光子１１０の吸収軸１１０ａの方位角は略９０°であり、黒表示時の液晶分子の配向方位１３０ａの方位角は略９０°であり、インセル位相差層１４０の遅相軸１４０ａの方位角は略１３５°であり、アウトセル位相差層１８１の遅相軸１８１ａの方位角は略４５°である。なお、本明細書において、方位角が略４５°であるとは、方位角が４５±３°の範囲内であることを指し、好ましくは４５±１°の範囲内であり、より好ましくは４５±０．５°の範囲内であり、特に好ましくは４５°である。方位角が略９０°であるとは、方位角が９０±３°の範囲内であることを指し、好ましくは９０±１°の範囲内であり、より好ましくは９０±０．５°の範囲内であり、特に好ましくは９０°である。方位角が略１３５°であるとは、方位角が１３５±３°の範囲内であることを指し、好ましくは１３５±１°の範囲内であり、より好ましくは１３５±０．５°の範囲内であり、特に好ましくは１３５°である。
【００８５】
図７は、実施形態２の液晶モジュールに関する図であり、（ａ）は黒表示時における液晶パネルの規格化透過率の一例を示すグラフであり、（ｂ）はバックライトの規格化輝度の一例を示すグラフであり、（ｃ）は黒表示時における液晶モジュールの規格化輝度の一例を示すグラフである。
【００８６】
極角が大きい場合、例えば、極角６０°において、黒表示時の液晶パネル１０の規格化透過率は、図７（ａ）に示すように、方位角φによって規格化透過率に差がある。より具体的には、極角が大きい場合（例えば極角６０°以上）における黒表示時の液晶パネル１０の規格化透過率グラフは、最大ピーク透過率を有するピークを２つ（ピークＰＡ１及びＰＡ３）有し、上記最大ピーク透過率を有する２つのピークＰＡ１及びＰＡ３が現れる方位は、互いに略１８０°の角度をなす。更に、上記規格化透過率グラフは、ピークＰＡ１が現れる方位から反時計回りにピークＰＡ３が現れる方位までの間に上記最大ピーク透過率よりもピーク透過率の低いピークＰＡ２を１つ有するとともに、ピークＰＡ３が現れる方位から反時計回りにピークＰＡ１が現れる方位までの間に、上記最大ピーク透過率よりもピーク透過率の低いピークＰＡ４を１つ有する。ピークＰＡ２が現れる方位は、ピークＰＡ１及びピークＰＡ３が現れる方位と互いに直交し、かつ、ピークＰＡ４が現れる方位は、ピークＰＡ１及びピークＰＡ３が現れる方位と互いに直交する。これは、前述のように、インセル位相差層１４０及びアウトセル位相差層１８１がともにｎｘ＞ｎｙ≧ｎｚの関係を満たすＡプレートであり、かつ、ポジティブＣプレート１７０が設けられていることが原因となっている。なお、本明細書において、上記規格化透過率グラフにおける２つのピークが現れる方位が互いに直交するとは、両者のなす角度（絶対値）が９０±３°の範囲内であることを指し、好ましくは９０±１°の範囲内であり、より好ましくは９０±０．５°の範囲内であり、特に好ましくは９０°である。
【００８７】
また、極角が大きい場合、例えば、極角６０°において、バックライト２０の規格化輝度は、図７（ｂ）に示すように、観察面側のプリズムシートである第１プリズムシート２１０の第１稜線２１０ａの方位の輝度に対して、観察面側からより遠いプリズムシートである第２プリズムシート２２０の第２稜線２２０ａの方位の輝度の方が高くなる。より具体的には、極角が大きい場合（例えば極角６０°以上）におけるバックライト２０の規格化輝度グラフは、第１プリズムシート２１０における稜線２１０ａと平行な２方位に最小ピーク輝度を有するピークＰＢ１及びピークＰＢ３を有する。更に、上記規格化輝度グラフは、第２プリズムシート２２０における稜線２２０ａと平行な２方位に上記最小ピーク輝度よりもピーク輝度の高い（最大ピーク輝度を有する）ピークＰＢ２及びピークＰＢ４を有する。稜線２１０ａは、上述のように稜線２２０ａと直交することから、ピークＰＢ２及びピークＰＢ４は、それぞれ、ピークＰＢ１が現れる方位から反時計回りにピークＰＢ３が現れる方位までの間、及び、ピークＰＢ３が現れる方位から反時計回りにピークＰＢ１が現れる方位までの間に位置し、ピークＰＢ１が現れる方位及びピークＰＢ３が現れる方位は、それぞれ、ピークＰＢ２が現れる方位と直交し、ピークＰＢ１が現れる方位及びピークＰＢ３が現れる方位は、それぞれ、ピークＰＢ４が現れる方位と直交する。
【００８８】
本実施形態では、極角が大きい場合（例えば極角６０°以上）において、黒表示時の液晶パネル１０の透過率及びバックライト２０の輝度の方位角に対する振幅を、互いに補償し合うように液晶モジュール１を設計する。より具体的には、最も観察面側に配置された第１プリズムシート２１０の第１稜線２１０ａを、黒表示時の斜め方向における液晶パネル１０の透過率最大方位に対して平行となるように配置する。このような態様とすることにより、上記規格化透過率グラフにおいて上記最大ピーク透過率を有するピーク（ピークＰＡ１及びＰＡ３）を、上記規格化輝度グラフにおいて上記最小ピーク輝度を有するピーク（ピークＰＢ１及びＰＢ３）に重ね合わせることが可能となり、すなわち、極角が大きい場合において、黒表示時において液晶パネル１０の透過率が最大となる方位を、バックライト２０のピーク輝度が最小となる方位に揃えることが可能となり、黒表示時に液晶パネル１０のピーク透過率が最大となる方位において、液晶モジュール１の輝度を抑えることができる。
【００８９】
更に、極角が大きい場合において、黒表示時の液晶パネル１０の透過率が最大ピーク透過率よりも低い範囲（上記規格化透過率グラフにおいて、ピークＰＡ１が現れる方位から反時計回りにピークＰＡ３が現れる方位までの間、及び、ピークＰＡ３が現れる方位から反時計回りにピークＰＡ１が現れる方位までの間）に、バックライト２０のピーク輝度が最大となる方位を配置することが可能となり、黒表示時に液晶パネル１０の透過率が最大透過率よりも低い範囲において、液晶モジュール１の輝度を高めることができる。特に、本実施形態では、上記規格化透過率グラフにおいて最小ピーク透過率を有するピーク（ピークＰＡ２及びＰＡ４）を、上記規格化輝度グラフにおいて最大ピーク輝度を有するピーク（ピークＰＢ１及びＰＢ３）に重ね合わせることが可能となり、すなわち、黒表示時において液晶パネル１０のピーク透過率が最小となる方位を、バックライト２０のピーク輝度が最大となる方位に揃えることが可能となり、黒表示時に液晶パネル１０のピーク透過率が最小となる方位において、液晶モジュール１の輝度を高めることができる。
【００９０】
その結果、極角が大きい場合において、液晶モジュール１の最大ピーク輝度と最小ピーク輝度との差を抑えることができ、製造コスト及び耐久性に課題のあるネガティブＡプレートを用いなくとも、黒表示時に方位角に依存して発生する液晶モジュール１のピーク輝度のばらつきを抑えることが可能となり、耐久性及び製造コストに優れ、かつ、黒表示時に方位角に依存して発生するピーク輝度のばらつきが抑えられた液晶モジュール１を実現することができる。更に、本実施形態では、極角が大きい場合において、黒表示時の液晶パネル１０の透過率が最小となる方位角、すなわち、液晶パネル１０のコントラストが高い方位角に、バックライト２０の輝度ピークが重なることを避けることができため、コントラストの低下を抑制しながら、黒表示時の視野角特性を改善することが可能となる。
【００９１】
本実施形態における液晶パネル１０のピーク透過率比は、０．７０以上、０．９０以下であることが好ましく、０．７５以上、０．８５以下であることがより好ましい。
【００９２】
本実施形態におけるバックライト２０のピーク輝度比は、０．７５以上、０．９５以下であることが好ましく、０．８０以上、０．９０以下であることがより好ましい。
【００９３】
本実施形態の液晶モジュール１は、第２偏光子１８２の吸収軸１８２ａの方位角を０°とし、アウトセル位相差層１８１のＮＺ係数をβとしたとき、第１稜線２１０ａの方位角αは、下記式１を満たすことが好ましく、下記式１−１を満たすことがより好ましく、下記式１−２を満たすことが更に好ましい。ポジティブＣプレート１７０及び左円偏光板を備える本実施形態では、黒表示時において液晶パネル１０の透過率が最大となる方位角（以下、透過率最大方位角ともいう）は１０×β＋４０で近似可能であるため、第１稜線２１０ａの方位角αが下記式を満たすことにより、第１プリズムシート２１０における第１稜線２１０ａと、液晶パネル１０の黒表示時における透過率最大方位とのなす角度を０°に近づけることが可能となり、ポジティブＣプレート及び左円偏光板を備える液晶モジュール１について、極角が大きい場合に、黒表示時に方位角に依存して発生するピーク輝度のばらつきを抑えることができる。
１０×β＋３５≦α≦１０×β＋４５      （式１）
１０×β＋３７≦α≦１０×β＋４３      （式１−１）
α＝１０×β＋４０      （式１−２）
【００９４】
（ポジティブＣプレート）
本実施形態の液晶モジュール１が備えるポジティブＣプレート１７０は、３つの主屈折率がｎｚ＞ｎｘ＝ｎｙの関係を満たす。
【００９５】
ポジティブＣプレート１７０の面内位相差Ｒｅが１５ｎｍ以下等、充分小さい場合、面内では実質的に光学的に等方性と見なせるため、ポジティブＣプレート１７０の面内における配置方向は特に限定されない。ポジティブＣプレート１７０の面内位相差は、１５ｎｍ以下であることが好ましく、１０ｎｍ以下であることがより好ましい。
【００９６】
ポジティブＣプレート１７０は、インセル位相差層１４０と同様に形成することができる。ポジティブＣプレート１７０は、例えば、液晶化合物を垂直に配向させる配向処理を施した垂直配向膜の上に、液晶化合物を含む液晶材料を塗布し、配向固定した後、上記液晶化合物を含む膜を転写することにより形成することができる。上記液晶化合物としては、例えば、重合性液晶化合物が挙げられる。
【００９７】
ポジティブＣプレート１７０の厚み位相差Ｒｔｈは、１００ｎｍ以上、２５０ｎｍ以下であることが好ましく、１２０ｎｍ以上、２３０ｎｍ以下であることがより好ましい。また、ポジティブＣプレート１７０の厚み位相差をγｎｍ、アウトセル位相差層１８１のＮＺ係数をβとしたとき、β及びγは下記式１Ａを満たすことが好ましく、下記式１Ａ−１を満たすことがより好ましく、下記式１Ａ−２を満たすことがより好ましい。ポジティブＡプレートを視野角補償するためにネガティブＡプレートが必要になるが、ネガティブＡプレートは上述のようにコスト面等で課題がある。本実施形態では、アウトセル位相差層１８１のＮＺ係数β及びポジティブＣプレート１７０の厚み位相差γが下記式１Ａを満たすことにより、アウトセル位相差層１８１及びポジティブＣプレート１７０を足し合わせて、見かけ上、疑似的にネガティブＡプレートとして作用させることが可能であるため、コストを抑制しつつ、極角が大きい場合に、黒表示時に方位角に依存して発生するピーク輝度のばらつきをより抑制することができる。
１１５β−７．５≦γ≦１１５β＋２．５（式１Ａ）
１１５β−５≦γ≦１１５β（式１Ａ−１）
γ＝１１５β−２．５（式１Ａ−２）
【００９８】
（左円偏光板）
本実施形態における円偏光板１８０は、背面側から観察面側に向かって順に、アウトセル位相差層１８１及び第２偏光子１８２を有し、アウトセル位相差層１８１の遅相軸１８１ａは、第２偏光子１８２の吸収軸１８２ａに対して反時計回りに略４５°の角度をなす。本実施形態における円偏光板１８０は、左円偏光板であり、観察面側から入射する光を、左回りの円偏光に変換する機能を有する。本明細書では、光の進行方向に対向して光を観察した場合に、光波の電気変位ベクトルの振動方向が、光波の進行とともに時計回りに回転するものを右回りの円偏光といい、光波の進行とともに反時計回りに回転するものを左回りの円偏光という。
【００９９】
＜実施形態３＞
本実施形態では、実施形態１の液晶モジュール１が備える液晶パネル１０の、より具体的かつ好適な態様について説明する。本実施形態の液晶モジュールは、液晶パネルが備えるインセル位相差層の遅相軸及びアウトセル位相差層の遅相軸の配置が異なり、かつ、円偏光板１８０が右円偏光板であること以外は、実施形態２の液晶モジュール１と同様の構成を有する。
【０１００】
図８は、実施形態３の液晶モジュールが備える液晶パネルの斜視分解模式図である。図８に示すように、第２偏光子１８２は、吸収軸１８２ａが第１偏光子１１０の吸収軸１１０ａに対して直交する。液晶層１３０は、黒表示時の液晶分子の配向方位１３０ａが第１偏光子１１０の吸収軸１１０ａと平行である。インセル位相差層１４０は、遅相軸１４０ａが第１偏光子１１０の吸収軸１１０ａに対して略４５°の角度をなす。アウトセル位相差層１８１は、遅相軸１８１ａがインセル位相差層１４０の遅相軸１４０ａに対して直交する。より具体的には、第２偏光子１８２の吸収軸１８２ａの方位角を０°とすると、第１偏光子１１０の吸収軸１１０の方位角は略９０°であり、黒表示時の液晶分子の配向方位１３０ａの方位角は略９０°であり、インセル位相差層１４０の遅相軸１４０ａの方位角は略４５°であり、アウトセル位相差層１８１の遅相軸１８１ａの方位角は略１３５°である。
【０１０１】
このような態様とすることにより、極角が大きい場合（例えば極角６０°以上）において、黒表示時の液晶パネル１０の透過率が最大となる方位を、バックライト２０のピーク輝度が最小となる方位に揃えることが可能となり、黒表示時に液晶パネル１０のピーク透過率が最大となる方位において、液晶モジュール１の輝度を抑えることができる。更に、極角が大きい場合において、黒表示時の液晶パネル１０のピーク透過率が最小となる方位を、バックライト２０のピーク輝度が最大となる方位に揃えることが可能となり、黒表示時に液晶パネル１０のピーク透過率が最小となる方位において、液晶モジュール１の輝度を高めることができる。その結果、極角が大きい場合において、液晶モジュール１の最大ピーク輝度と最小ピーク輝度との差を抑えることができ、製造コスト及び耐久性に課題のあるネガティブＡプレートを用いなくとも、黒表示時に方位角に依存して発生する液晶モジュール１のピーク輝度のばらつきを抑えることが可能となり、耐久性及び製造コストに優れ、かつ、極角が大きい場合に、黒表示時に方位角に依存して発生するピーク輝度のばらつきが抑えられた液晶モジュール１を実現することができる。更に、本実施形態では、極角が大きい場合において、黒表示時の液晶パネル１０の透過率が最小となる方位角、すなわち、液晶パネル１０のコントラストが高い方位角に、バックライト２０の輝度ピークが重なることを避けることができため、コントラストの低下を抑制しながら、黒表示時の視野角特性を改善することが可能となる。
【０１０２】
本実施形態の液晶モジュール１は、第２偏光子１８２の吸収軸１８２ａの方位角を０°とし、アウトセル位相差層１８１のＮＺ係数をβとしたとき、第１稜線２１０ａの方位角αは、下記式２を満たすことが好ましく、下記式２−１を満たすことがより好ましく、下記式２−２を満たすことが更に好ましい。ポジティブＣプレート１７０及び右円偏光板を備える本実施形態では、黒表示時において液晶パネル１０の透過率最大方位角は−１０×β＋１４０で近似可能であるため、第１稜線２１０ａの方位角αが下記式を満たすことにより、第１プリズムシート２１０における第１稜線２１０ａと、液晶パネル１０の黒表示時における透過率最大方位とのなす角度を０°に近づけることが可能となり、ポジティブＣプレート及び右円偏光板を備える液晶モジュール１について、極角が大きい場合に、黒表示時に方位角に依存して発生するピーク輝度のばらつきを抑えることができる。
−１０×β＋１３５≦α≦−１０×β＋１４５      （式２）
−１０×β＋１３７≦α≦−１０×β＋１４３      （式２−１）
α＝−１０×β＋１４０      （式２−２）
【０１０３】
ポジティブＣプレート１７０の厚み位相差（γ）と、アウトセル位相差層１８１のＮＺ係数（β）とは、実施形態２と同様、上記式１Ａを満たすことが好ましく、上記式１Ａ−１を満たすことがより好ましく、上記式１Ａ−２を満たすことが更に好ましい。
【０１０４】
本実施形態における液晶パネル１０のピーク透過率比は、０．７０以上、０．９０以下であることが好ましく、０．７５以上、０．８５以下であることがより好ましい。
【０１０５】
本実施形態におけるバックライト２０のピーク輝度比は、０．７５以上、０．９５以下であることが好ましく、０．８０以上、０．９０以下であることがより好ましい。
【０１０６】
（右円偏光板）
本実施形態における円偏光板１８０は、背面側から観察面側に向かって順に、アウトセル位相差層１８１及び第２偏光子１８２を有し、アウトセル位相差層１８１の遅相軸１８１ａは、第２偏光子１８２の吸収軸１８２ａに対して時計回りに略４５°の角度をなす。本実施形態における円偏光板１８０は、右円偏光板であり、観察面側から入射する光を、右回りの円偏光に変換する機能を有する。
【０１０７】
＜実施形態４＞
本実施形態では、実施形態１の液晶モジュール１が備える液晶パネル１０の、より具体的かつ好適な態様について説明する。図９は、実施形態４の液晶モジュールの断面模式図である。本実施形態の液晶モジュール１が備える液晶パネル１０は、図９に示すように、背面側から観察面側に向かって順に、第１偏光子１１０、第１基板１２０、液晶層１３０、インセル位相差層１４０、第２基板１５０、透明導電膜１６０、円偏光板１８０、及び、反射防止膜１９０を備える。円偏光板１８０は、右円偏光板であり、背面側から観察面側に向かって順に、アウトセル位相差層１８１及び第２偏光子１８２を有する。本実施形態の液晶モジュール１が備えるバックライト２０は、実施形態１の液晶モジュール１が備えるバックライト２０と同様である。
【０１０８】
図１０−１は、実施形態４の液晶モジュールが備える液晶パネルの斜視分解模式図である。図１０−１に示すように、第２偏光子１８２は、吸収軸１８２ａが第１偏光子１１０の吸収軸１１０ａに対して直交する。液晶層１３０は、黒表示時の液晶分子の配向方位１３０ａが第１偏光子１１０の吸収軸１１０ａに対して直交する。インセル位相差層１４０は、遅相軸１４０ａが第１偏光子１１０の吸収軸１１０ａに対して略４５°の角度をなす。アウトセル位相差層１８１は、遅相軸１８１ａがインセル位相差層１４０の遅相軸１４０ａに対して直交する。より具体的には、第１偏光子１１０の吸収軸１１０ａの方位角を０°とすると、第２偏光子１８２の吸収軸１８２ａの方位角は略９０°であり、黒表示時の液晶分子の配向方位１３０ａの方位角は略９０°であり、インセル位相差層１４０の遅相軸１４０ａの方位角は略１３５°であり、アウトセル位相差層１８１の遅相軸１８１ａの方位角は略４５°である。
【０１０９】
図１０−２は、実施形態４の液晶モジュールに関する図であり、（ａ）は黒表示時における液晶パネルの規格化透過率の一例を示すグラフであり、（ｂ）はバックライトの規格化輝度の一例を示すグラフであり、（ｃ）は黒表示時における液晶モジュールの規格化輝度の一例を示すグラフである。
【０１１０】
極角が大きい場合、例えば、極角６０°において、黒表示時の液晶パネル１０の規格化透過率は、図１０−２（ａ）に示すように、方位角φによって規格化透過率に差がある。より具体的には、極角が大きい場合（例えば極角６０°以上）における黒表示時の液晶パネル１０の規格化透過率グラフは、最大ピーク透過率を有するピークを２つ（ピークＰＡ１及びＰＡ３）有し、上記最大ピーク透過率を有する２つのピークＰＡ１及びＰＡ３が現れる方位は、互いに略１８０°の角度をなす。更に、上記規格化透過率グラフは、ピークＰＡ１が現れる方位から反時計回りにピークＰＡ３が現れる方位までの間に上記最大ピーク透過率よりもピーク透過率の低いピークＰＡ２を２つ（ＰＡ２−１、ＰＡ２−２）有するとともに、ピークＰＡ３が現れる方位から反時計回りにピークＰＡ１が現れる方位までの間に、上記最大ピーク透過率よりもピーク透過率の低いピークＰＡ４を２つ（ＰＡ４−１、ＰＡ４−２）有する。ピークＰＡ２−１及びＰＡ４−１が現れる方位は、互いに略１８０°の角度をなし、かつ、ピークＰＡ２−２及びＰＡ４−２が現れる方位は、互いに略１８０°の角度をなす。これは、前述のように、インセル位相差層１４０及びアウトセル位相差層１８１がともにｎｘ＞ｎｙ≧ｎｚの関係を満たすＡプレートであることが原因となっている。
【０１１１】
また、極角が大きい場合、例えば、極角６０°において、バックライト２０の規格化輝度はと、図１０−２（ｂ）に示すように、観察面側のプリズムシートである第１プリズムシート２１０の第１稜線２１０ａの方位の輝度に対して、観察面側からより遠いプリズムシートである第２プリズムシート２２０の第２稜線２２０ａの方位の輝度の方が高くなる。より具体的には、極角が大きい場合（例えば極角６０°以上）におけるバックライト２０の規格化輝度グラフは、第１プリズムシート２１０における第１稜線２１０ａと平行な２方位に最小ピーク輝度を有するピークＰＢ１及びピークＰＢ３を有する。更に、上記規格化輝度グラフは、第２プリズムシート２２０における第２稜線２２０ａと平行な２方位に上記最小ピーク輝度よりもピーク輝度の高い（最大ピーク輝度を有する）ピークＰＢ２及びピークＰＢ４を有する。第１稜線２１０ａは、上述のように第２稜線２２０ａと直交することから、ピークＰＢ２及びピークＰＢ４は、それぞれ、ピークＰＢ１が現れる方位から反時計回りにピークＰＢ３が現れる方位までの間、及び、ピークＰＢ３が現れる方位から反時計回りにピークＰＢ１が現れる方位までの間に位置し、ピークＰＢ１が現れる方位及びピークＰＢ３が現れる方位は、それぞれ、ピークＰＢ２が現れる方位と直交し、ピークＰＢ１が現れる方位及びピークＰＢ３が現れる方位は、それぞれ、ピークＰＢ４が現れる方位と直交する。
【０１１２】
本実施形態では、極角が大きい場合（例えば極角６０°以上）において、黒表示時の液晶パネル１０の透過率及びバックライト２０の輝度の方位角に対する振幅を、互いに補償し合うように液晶モジュール１を設計する。より具体的には、最も観察面側に配置された第１プリズムシート２１０の第１稜線２１０ａを、黒表示時の斜め方向における液晶パネル１０の透過率最大方位に対して平行となるように配置する。このような態様とすることにより、上記規格化透過率グラフにおいて最大ピーク透過率を有するピーク（ピークＰＡ１及びＰＡ３）を、上記規格化輝度グラフにおいて最小ピーク輝度を有するピーク（ピークＰＢ１及びＰＢ３）に重ね合わせることが可能となり、すなわち、極角が大きい場合において、黒表示時において液晶パネル１０の透過率が最大となる方位を、バックライト２０のピーク輝度が最小となる方位に揃えることが可能となり、黒表示時に液晶パネル１０のピーク透過率が最大となる方位において、液晶モジュール１の輝度を抑えることができる。
【０１１３】
更に、極角が大きい場合において、黒表示時の液晶パネル１０の透過率が最大ピーク透過率よりも低い範囲（上記規格化透過率グラフにおいて、ピークＰＡ１が現れる方位から反時計回りにピークＰＡ３が現れる方位までの間、及び、ピークＰＡ３が現れる方位から反時計回りにピークＰＡ１が現れる方位までの間）に、バックライト２０のピーク輝度が最大となる方位を配置することが可能となり、黒表示時に液晶パネル１０の透過率が最大透過率よりも低い範囲において、図１０−２（ｃ）に示すように、液晶モジュール１の輝度を高めることができる。特に、本実施形態では、ピークＰＡ１が現れる方位から反時計回りにピークＰＡ３が現れる方位までの間、及び、ピークＰＡ３が現れる方位から反時計回りにピークＰＡ１が現れる方位までの間のそれぞれにおいて、ピーク透過率のより低いピークＰＡ２−１及びＰＡ４−１に対応する液晶モジュール１の輝度ピークをピーク透過率のより高いピークＰＡ２−２及びＰＡ４−２に対応する液晶モジュール１の輝度ピークに吸収させて消失することが可能であり、液晶モジュール１における最小ピーク輝度を高めることができる。
【０１１４】
その結果、極角が大きい場合において、液晶パネル１０の透過率とバックライト２０の輝度とを互いに補償し合うことが可能となり、液晶モジュール１の最大ピーク輝度と最小ピーク輝度との差を抑えることができ、製造コスト及び耐久性に課題のあるネガティブＡプレートを用いなくとも、黒表示時に方位角に依存して発生する液晶モジュール１のピーク輝度のばらつきを抑えることが可能となり、耐久性及び製造コストに優れ、かつ、黒表示時に方位角に依存して発生するピーク輝度のばらつきが抑えられた液晶モジュールを実現することができる。また、本実施形態では、液晶パネル１０の規格化透過率グラフにおけるピークの数に対して、液晶モジュール１の規格化輝度グラフにおけるピークの数が少ない。このように、ピークの数が減少することも、極角が大きい場合に、黒表示時に方位角に依存して発生するピーク輝度のばらつきが抑えられたといえる。
【０１１５】
本実施形態の液晶モジュール１では、第１偏光子１１０の吸収軸１１０ａの方位角を０°としたとき、第１稜線２１０ａの方位角αは、１１０°以上、１２０°以下であることが好ましく、１１２°以上、１１８°以下であることがより好ましく、１１５°であることが更に好ましい。右円偏光板を備える本実施形態では、黒表示時において液晶パネル１０の透過率最大方位角は１１５°であり得るため、第１稜線２１０ａの方位角αが上記範囲を満たすことにより、第１プリズムシート２１０における第１稜線２１０ａと、液晶パネル１０の黒表示時における透過率最大方位とのなす角度を０°に近づけることが可能となり、右円偏光板を備える液晶モジュール１について、極角が大きい場合に、黒表示時に方位角に依存して発生するピーク輝度のばらつきを抑えることができる。
【０１１６】
本実施形態における液晶パネル１０のピーク透過率比は、０．３５以上、０．６５以下であることが好ましく、０．４以上、０．６以下であることがより好ましい。
【０１１７】
本実施形態におけるバックライト２０のピーク輝度比は、０．６０以上、０．８０以下であることが好ましく、０．６５以上、０．７５以下であることがより好ましい。
【０１１８】
＜実施形態５＞
本実施形態では、実施形態１の液晶モジュール１が備える液晶パネル１０の、より具体的かつ好適な態様について説明する。本実施形態の液晶モジュールは、液晶パネルが備えるインセル位相差層の遅相軸及びアウトセル位相差層の遅相軸の配置が異なり、かつ、円偏光板１８０が左円偏光板であること以外は、実施形態４の液晶モジュール１と同様の構成を有する。
【０１１９】
図１１は、実施形態５の液晶モジュールが備える液晶パネルの斜視分解模式図である。図１１に示すように、第２偏光子１８２は、吸収軸１８２ａが第１偏光子１１０の吸収軸１１０ａに対して直交する。液晶層１３０は、黒表示時の液晶分子の配向方位１３０ａが第１偏光子１１０の吸収軸１１０ａに対して直交する。インセル位相差層１４０は、遅相軸１４０ａが第１偏光子１１０の吸収軸１１０ａに対して略４５°の角度をなす。アウトセル位相差層１８１は、遅相軸１８１ａがインセル位相差層１４０の遅相軸１４０ａに対して直交する。より具体的には、第１偏光子１１０の吸収軸１１０ａの方位角を０°とすると、第２偏光子１８２の吸収軸１８２ａの方位角は略９０°であり、黒表示時の液晶分子の配向方位１３０ａの方位角は略９０°であり、インセル位相差層１４０の遅相軸１４０ａの方位角は略４５°であり、アウトセル位相差層１８１の遅相軸１８１ａの方位角は略１３５°である。
【０１２０】
このような態様とすることにより、極角が大きい場合（例えば極角６０°以上）において、黒表示時の液晶パネル１０の透過率が最大となる方位を、バックライト２０のピーク輝度が最小となる方位に揃えることが可能となり、黒表示時に液晶パネル１０のピーク透過率が最大となる方位において、液晶モジュール１の輝度を抑えることができる。更に、極角が大きい場合において、黒表示時の液晶パネル１０の透過率が最大透過率よりも低い範囲において、液晶モジュール１の輝度を高めることができる。その結果、極角が大きい場合において、液晶パネル１０の透過率とバックライト２０の輝度とを互いに補償し合うことが可能となり、液晶モジュール１の最大ピーク輝度と最小ピーク輝度との差を抑えることができ、製造コスト及び耐久性に課題のあるネガティブＡプレートを用いなくとも、黒表示時に方位角に依存して発生する液晶モジュール１のピーク輝度のばらつきを抑えることが可能となり、耐久性及び製造コストに優れ、かつ、極角が大きい場合に、黒表示時に方位角に依存して発生するピーク輝度のばらつきが抑えられた液晶モジュールを実現することができる。
【０１２１】
本実施形態の液晶モジュール１では、第１偏光子１１０の吸収軸１１０ａの方位角を０°としたとき、第１稜線２１０ａの方位角αは、６０°以上、７０°以下であることが好ましく、６２°以上、６８°以下であることがより好ましく、６５°であることが更に好ましい。左円偏光板を備える本実施形態では、黒表示時において液晶パネル１０の透過率最大方位角は６５°であり得るため、第１稜線２１０ａの方位角αが上記範囲を満たすことにより、第１プリズムシート２１０における第１稜線２１０ａと、液晶パネル１０の黒表示時における透過率最大方位とのなす角度を０°に近づけることが可能となり、左円偏光板を備える液晶モジュール１について、極角が大きい場合に、黒表示時に方位角に依存して発生するピーク輝度のばらつきを抑えることができる。
【０１２２】
以下に、実施例及び比較例を挙げて本発明をより詳細に説明するが、本発明はこれらの例によって限定されるものではない。
【０１２３】
＜実施例１−１〜１−４＞
実施例１−１〜１−４では、上記実施形態２に対応する構成を有する液晶モジュールを作製した。図１２は、実施例１−１〜１−４の液晶モジュールに関する図であり、（ａ）は実施例１−１〜１−４の液晶パネルの斜視分解模式図であり、（ｂ）は実施例１−１〜１−４のバックライトの断面模式図である。以下に詳細を説明する。なお、実施例１−１〜１−４では、第２偏光子の吸収軸を方位角の基準（０°）とした。
（実施例１−１〜１−４の液晶パネル）
図１２（ａ）に示すように、実施例１−１〜１−４の液晶パネル１０では、第２偏光子１８２の吸収軸１８２ａの方位角を０°として、第１偏光子１１０の吸収軸１１０ａの方位角を９０°、黒表示時の液晶分子の配向方位１３０ａの方位角を９０°、インセル位相差層１４０の遅相軸１４０ａの方位角を１３５°、アウトセル位相差層１８１の遅相軸１８１ａの方位角を４５°に設定した。実施例１−１〜１−４の液晶パネル１０において、アウトセル位相差層１８１及び第２偏光子１８２からなる円偏光板１８０は、左円偏光板であった。実施例１−１〜１−４の液晶パネル１０におけるアウトセル位相差層１８１の面内位相差及びＮＺ係数、ポジティブＣプレート１７０の厚み位相差、及び、インセル位相差層１４０の面内位相差及びＮＺ係数は、それぞれ、下記表１のように設定した。また、ポジティブＣプレート１７０の面内位相差は０ｎｍに設定した。
【０１２４】
【表１】
2019066531.tif 000003
【０１２５】
第２偏光子１８２の吸収軸１８２ａの方位角を０°として、実施例１−１〜１−４の液晶パネル１０のそれぞれについて、極角を６０°に設定した場合の、黒表示時における透過率が最大となる方位角（以下、透過率最大方位角ともいう）をシンテック社製のＬＣＤ−Ｍａｓｔｅｒを用いてシミュレーションした。結果を下記表２に示す。
【０１２６】
【表２】
2019066531.tif 000004
【０１２７】
表２の結果より、黒表示時における透過率最大方位角は、ＮＺ係数の値によって異なることが分かった。表２の結果をもとに、ＮＺ係数をβ、極角を６０°に設定した場合の、黒表示時における透過率最大方位角をδとして直線近似を行うと、下記式Ａの関係が成り立つことが分かった。
δ＝１０β＋４０    （式Ａ）
【０１２８】
（実施例１−１〜１−４のバックライト）
次に、実施例１−１〜１−４のバックライトの構成を説明する。図１２（ｂ）に示すように、実施例１−１〜１−４では、観察面側から順に、第１プリズムシート２１０、第２プリズムシート２２０、拡散シート２３０、及び、導光板２４０が配置され、かつ、導光板２４０の側面に光源２５０としてＬＥＤが配置されたバックライト２０を用いた。
【０１２９】
図１３は、実施例１−１〜１−４の液晶モジュールが備えるバックライトの、規格化輝度のシミュレーション結果を示すグラフである。図１３に示すように、実施例１−１〜１−４の液晶モジュールが備えるバックライトは、極角θ＝６０°のピーク輝度比が０．８６倍であった。
【０１３０】
なお、本明細書において示される液晶パネルの規格化透過率のシミュレーション結果、バックライトの規格化輝度のシミュレーション結果及び液晶モジュールのシミュレーション結果は、いずれも、極角６０°において行われたシミュレーションの結果である。
【０１３１】
（実施例１−１〜１−４の液晶モジュール）
極角を６０°に設定した場合の、実施例１−１〜１−４の液晶パネル１０の黒表示時における透過率最大方位が、それぞれ、実施例１−１〜１−４のバックライト２０における第１プリズムシート２１０の第１稜線２１０ａと平行となるように、液晶パネル１０及びバックライト２０を配置し、実施例１−１〜１−４の液晶モジュールを設定した。すなわち、第１稜線２１０ａの方位角αが、下記式Ｂを満たすよう実施例１−１〜１−４の液晶モジュールを設定した。なお、以下において、δは、液晶パネル１０の透過率最大方位角を表す。
α＝δ＝１０β＋４０    （式Ｂ）
【０１３２】
（実施例１−３の液晶モジュール）
以下に、アウトセル位相差層のＮＺ係数を１．６とした実施例１−３の液晶モジュールの輝度について詳細に説明する。図１４は、実施例１−３の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。
【０１３３】
図１４（ａ）に示すように、実施例１−３の液晶パネル１０のピーク透過率比は０．８２倍であった。これに対し、実施例１−３の液晶パネル１０の黒表示時における透過率最大方位角（５６°）が、第１プリズムシート２１０の第１稜線２１０ａと平行となるように液晶パネル１０及びバックライト２０を配置した実施例１−３の液晶モジュールでは、ピーク輝度比は０．９２倍であった。以上より、最も観察面側に配置された第１プリズムシート２１０の第１稜線２１０を、黒表示時に斜め方向において液晶パネル１０の透過率が最大となる方位に対して平行となるように配置することにより、製造コスト及び耐久性に課題のあるネガティブＡプレートを用いなくとも、黒表示時に方位角に依存して発生する液晶モジュール１のピーク輝度のばらつきを抑えることが可能となり、耐久性及び製造コストに優れ、かつ、極角が大きい場合に、黒表示時に方位角に依存して発生するピーク輝度のばらつきが抑えられた液晶モジュールを得ることができた。実施例１−１〜１−２及び１−４の液晶モジュールについても、実施例１−３の液晶モジュールと同様の効果を得ることができる。
【０１３４】
＜実施例２−１〜２−４＞
実施例２−１〜２−４では、上記実施形態３に対応する構成を有する液晶モジュールを作製した。以下に詳細を説明する。なお、実施例２−１〜２−４では、第２偏光子の吸収軸を方位角の基準（０°）とした。
【０１３５】
（実施例２−１〜２−４の液晶パネル）
図１５は、実施例２−１〜２−４の液晶モジュールが備える液晶パネルの斜視分解模式図である。図１５に示すように、アウトセル位相差層１８１の遅相軸１８１ａの方位角を１３５°に設定し、インセル位相差層１４０の遅相軸１４０ａの方位角を４５°に設定したこと以外は、実施例１−１〜１−４の液晶パネル１０と同様にして、実施例２−１〜２−４の液晶パネル１０を設定した。実施例２−１〜２−４の液晶パネル１０において、アウトセル位相差層１８１及び第２偏光子１８２からなる円偏光板１８０は、右円偏光板であった。実施例２−１〜２−４の液晶パネル１０におけるアウトセル位相差層１８１の面内位相差及びＮＺ係数、ポジティブＣプレート１７０の厚み位相差、及び、インセル位相差層１４０の面内位相差及びＮＺ係数は、それぞれ、下記表３のように設定した。また、ポジティブＣプレート１７０の面内位相差は０ｎｍに設定した。
【０１３６】
【表３】
2019066531.tif 000005
【０１３７】
第２偏光子１８２の吸収軸１８２ａの方位角を０°として、実施例２−１〜２−４の液晶パネル１０のそれぞれについて、極角を６０°に設定した場合の、黒表示時における透過率最大方位角をシンテック社製のＬＣＤ−Ｍａｓｔｅｒを用いてシミュレーションした。結果を下記表４に示す。
【０１３８】
【表４】
2019066531.tif 000006
【０１３９】
表４の結果より、黒表示時における透過率最大方位角は、ＮＺ係数の値によって異なることが分かった。表４の結果をもとに、ＮＺ係数をβ、極角を６０°に設定した場合の、黒表示時における透過率最大方位角をδとして直線近似を行うと、下記式Ｃの関係が成り立つことが分かった。
δ＝−１０β＋１４０    （式Ｃ）
【０１４０】
実施例２−１〜２−４の液晶パネル１０から導かれた上記式Ｃと、実施例１−１〜１−４より導かれた式Ａとは、傾きの絶対値が互いに同じで、傾きの正負が互いに異なり、かつ、切片がそれぞれ１４０（式Ｃ）及び４０（式Ａ）であることから、式Ａ及び式Ｃは、ｙ＝９０の直線に対して対称となることが分かった。
【０１４１】
（実施例２−１〜２−４の液晶モジュール）
極角を６０°に設定した場合の、実施例２−１〜２−４の液晶パネル１０の黒表示時における透過率最大方位が、それぞれ、実施例１−１〜１−４のバックライト２０における第１プリズムシート２１０の第１稜線２１０ａと平行となるように、すなわち、第１稜線２１０ａの方位角αが、下記式Ｄを満たすように、液晶パネル１０及びバックライト２０を配置して実施例２−１〜２−４の液晶モジュールとすることにより、実施例１−３の液晶モジュールと同様の効果を得ることができる。
α＝δ＝−１０β＋１４０    （式Ｄ）
【０１４２】
＜実施例３−１〜３−５＞
実施例３−１〜３−５では、上記実施形態４に対応する構成を有する液晶モジュールを作製した。以下に詳細を説明する。なお、実施例３−１〜３−５では、第１偏光子の吸収軸を方位角の基準（０°）とした。
【０１４３】
（実施例３−１〜３−５の液晶パネル）
図１６は、実施例３−１〜３−５の液晶モジュールが備える液晶パネルの斜視分解模式図である。図１６に示すように、実施例３−１〜３−５の液晶パネル１０では、第１偏光子１１０の吸収軸１１０ａの方位角を０°として、第２偏光子１８２の吸収軸１８２ａの方位角を９０°、黒表示時の液晶分子の配向方位１３０ａの方位角を９０°、インセル位相差層１４０の遅相軸１４０ａの方位角を１３５°、アウトセル位相差層１８１の遅相軸１８１ａの方位角を４５°に設定した。実施例３−１〜３−５の液晶パネル１０において、アウトセル位相差層１８１及び第２偏光子１８２からなる円偏光板１８０は、右円偏光板であった。実施例３−１〜３−５の液晶パネルにおけるアウトセル位相差層１８１の面内位相差及びＮＺ係数、ポジティブＣプレート１７０の厚み位相差、及び、インセル位相差層１４０の面内位相差及びＮＺ係数は、それぞれ、下記表５のように設定した。
【０１４４】
【表５】
2019066531.tif 000007
【０１４５】
第１偏光子１１０の吸収軸１１０ａの方位角を０°として、実施例３−１〜３−５の液晶パネル１０のそれぞれについて、極角を６０°に設定した場合の、黒表示時における透過率最大方位角をシンテック社製のＬＣＤ−Ｍａｓｔｅｒを用いてシミュレーションした。結果を下記表６に示す。
【０１４６】
【表６】
2019066531.tif 000008
【０１４７】
表６の結果より、黒表示時における透過率最大方位角（δ）は、ＮＺ係数の値によって異ならないことが分かった。
【０１４８】
（実施例３−１〜３−５のバックライト）
次に、実施例３−１〜３−５のバックライトの構成を説明する。図１７は、実施例３−１〜３−５の液晶モジュールが備えるバックライトの、規格化輝度のシミュレーション結果を示すグラフである。実施例３−１〜３−５のバックライトは、図１７に示すように、ピーク輝度比を０．７０倍としたこと以外は、実施例１−１〜１−４のバックライトと同様に設計した。
【０１４９】
（実施例３−１〜３−５の液晶モジュール）
極角を６０°に設定した場合の、実施例３−１〜３−５の液晶パネル１０の黒表示時における透過率最大方位が、それぞれ、実施例３−１〜３−５のバックライト２０における第１プリズムシート２１０の第１稜線２１０ａと平行となるように、すなわち、第１稜線２１０ａの方位角αが１１５°となるように液晶パネル１０及びバックライト２０を配置し、実施例３−１〜３−５の液晶モジュールを設定した。
【０１５０】
（実施例３−４の液晶モジュール）
以下に、アウトセル位相差層のＮＺ係数を１．６とした実施例３−４の液晶モジュールの輝度について詳細に説明する。図１８は、実施例３−４の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。また、下表７は、方位角０°及び１８０°における液晶パネル１０の規格化透過率及び液晶モジュールの規格化輝度、並びに、方位角１８０°における規格化透過率（又は規格化輝度）に対する、方位角０°における規格化透過率（又は規格化輝度）の割合（Ｔ）を示す。
【０１５１】
【表７】
2019066531.tif 000009
【０１５２】
図１８（ａ）に示すように、実施例３−４の液晶パネル１０のピーク透過率比は０．４０倍であった。これに対し、実施例３−４の液晶パネル１０の黒表示時における透過率最大方位角（５６°）が、第１プリズムシート２１０の第１稜線２１０ａと平行となるように液晶パネル１０及びバックライト２０を配置した実施例３−４の液晶モジュールでは、ピーク輝度比は０．６０倍であった。以上より、最も観察面側に配置された第１プリズムシート２１０の第１稜線２１０を、黒表示時に斜め方向において液晶パネル１０の透過率が最大となる方位に対して平行となるように配置することにより、製造コスト及び耐久性に課題のあるネガティブＡプレートを用いなくとも、極角が大きい場合に、黒表示時に方位角に依存して発生する液晶モジュール１のピーク輝度のばらつきを抑えることが可能となり、耐久性及び製造コストに優れ、かつ、極角が大きい場合に、黒表示時に方位角に依存して発生するピーク輝度のばらつきが抑えられた液晶モジュールを得ることができた。
【０１５３】
また、図１８及び表７に示すように、実施例３−４の液晶パネル１０では、方位角１８０°における規格化透過率に対する、方位角０°における規格化透過率の割合（Ｔ）が１．０２６であった。一方、実施例３−４の液晶モジュールでは、方位角１８０°における規格化輝度に対する、方位角０°における規格化輝度の割合（Ｔ）が１．０１４であった。以上より、実施例３−４の液晶モジュールでは、製造コスト及び耐久性に課題のあるネガティブＡプレートを用いなくとも、黒表示時の左右方向の輝度差を低減して見栄えを改善することが可能であった。なお、方位角０°及び１８０°の方向は、スマートフォン等の携帯用機器を使用する際に比較的傾け易い方向であるため、方位角０°及び１８０°における視野角特性が改善することは好ましいと考えられる。
【０１５４】
＜実施例４−１〜４−５＞
実施例４−１〜４−５では、上記実施形態５に対応する構成を有する液晶モジュールを作製した。以下に詳細を説明する。なお、実施例４−１〜４−５では、第１偏光子の吸収軸を方位角の基準（０°）とした。
【０１５５】
（実施例４−１〜４−５の液晶パネル）
図１９は、実施例４−１〜４−５の液晶モジュールが備える液晶パネルの斜視分解模式図である。図１９に示すように、アウトセル位相差層１８１の遅相軸１８１ａの方位角を１３５°に設定し、インセル位相差層１４０の遅相軸１４０ａの方位角を４５°に設定したこと以外は、実施例３−１〜３−５の液晶パネル１０と同様にして、実施例４−１〜４−５の液晶パネル１０を設定した。実施例４−１〜４−５の液晶パネル１０において、アウトセル位相差層１８１及び第２偏光子１８２からなる円偏光板１８０は、左円偏光板であった。実施例４−１〜４−５の液晶パネル１０におけるアウトセル位相差層１８１の面内位相差及びＮＺ係数、ポジティブＣプレート１７０の厚み位相差、及び、インセル位相差層１４０の面内位相差及びＮＺ係数は、それぞれ、下記表８のように設定した。
【０１５６】
【表８】
2019066531.tif 000010
【０１５７】
第１偏光子１１０の吸収軸１１０ａの方位角を０°として、実施例４−１〜４−５の液晶パネル１０のそれぞれについて、極角を６０°に設定した場合の、黒表示時における透過率最大方位角をシンテック社製のＬＣＤ−Ｍａｓｔｅｒを用いてシミュレーションした。結果を下記表９に示す。
【０１５８】
【表９】
2019066531.tif 000011
【０１５９】
表９の結果より、黒表示時における透過率最大方位角は、ＮＺ係数の値によって異ならないことが分かった。また、極角を６０°に設定した場合の、実施例３−１〜３−５の液晶パネル１０の黒表示時における透過率最大方位角１１５°と、実施例４−１〜４−５の液晶パネルの黒表示時における透過率最大方位角６５°とは、９０°と２７０°とを結ぶ直線に対して互いに線対称となることが分かった。この関係は、実施例１−１〜１−４より導かれた式（Ａ）と実施例２−１〜２−４により導かれた式（Ｃ）との関係と同様の関係であった。
【０１６０】
（実施例４−１〜４−５の液晶モジュール）
極角を６０°に設定した場合の、実施例４−１〜４−５の液晶パネル１０の黒表示時における透過率最大方位が、実施例４−１〜４−５のバックライト２０における第１プリズムシート２１０の第１稜線２１０ａと平行となるように、すなわち、第１稜線２１０ａの方位角αが６５°となるように液晶パネル１０及びバックライト２０を配置して実施例４−１〜４−５の液晶モジュールとすることにより、実施例３−４の液晶モジュールと同様の効果を得ることができる。
【０１６１】
＜比較例１＞
比較例１について以下に詳細を説明する。なお、比較例１では、第１偏光子の吸収軸を方位角の基準（０°）とした。
（比較例１の液晶パネル）
図２４は、比較例１の液晶モジュールが備える液晶パネルの斜視分解模式図である。図２４に示すように、比較例１の液晶パネル１０Ｒでは、第１偏光子１１０Ｒの吸収軸１１０Ｒａの方位角を０°として、第２偏光子１８２Ｒの吸収軸１８２Ｒａの方位角を９０°、液晶層１３０Ｒの液晶分子の黒表示時の配向方位１３０Ｒａの方位角を９０°、インセル位相差層１４０Ｒの遅相軸１４０Ｒａの方位角を１３５°、アウトセル位相差層１８１Ｒの遅相軸１８１Ｒａの方位角を４５°に設定した。アウトセル位相差層１８１Ｒ及び第２偏光子１８２Ｒを組み合わせることにより、円偏光板１８０Ｒとして機能させることができる。また、アウトセル位相差層１８１Ｒの面内位相差を１４０ｎｍ、ＮＺ係数を１．６に設定し、インセル位相差層１４０Ｒの面内位相差を１４０ｎｍ、ＮＺ係数を１．０に設定した。シンテック社製のＬＣＤ−Ｍａｓｔｅｒを用いてシミュレーションした結果、極角を６０°に設定した場合の、比較例１の液晶パネルの黒表示時における透過率最大方位角は、１１５°であった。
【０１６２】
（比較例１のバックライト）
次に、比較例１のバックライトの構成を説明する。図２５は、比較例１の液晶モジュールが備えるバックライトの、規格化輝度のシミュレーション結果を示すグラフである。比較例１では、ピーク輝度比が０．８６倍であり、図２５に示す規格化輝度曲線を有すること以外は、実施例１−１〜１−４のバックライトと同様の構成を有するバックライトを用いた。
【０１６３】
（比較例１の液晶モジュール）
比較例１のバックライトにおける第１プリズムシートの第１稜線の方位角が９０°となるよう、すなわち、極角を６０°に設定した場合の、比較例１の液晶パネルの透過率最大方位が比較例１のバックライトにおける第１プリズムシートの第１稜線と平行とならないよう、比較例１の液晶パネル１０Ｒに比較例１のバックライトを配置し、比較例１の液晶モジュールとした。
【０１６４】
図２６は、比較例１の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。図２６に示すように、比較例１の液晶パネル１０のピーク透過率比は０．８２倍であった。これに対し、比較例１の液晶モジュールではピーク輝度比は０．５４倍となり、黒表示において方位角に依存して発生するピーク輝度のばらつきが増大する結果となった。
【０１６５】
＜比較例２＞
アウトセル位相差層１８１Ｒの遅相軸１８１Ｒａの方位角、インセル位相差層１４０Ｒの遅相軸１４０Ｒａの方位角、及び、バックライトを変更したこと以外は、比較例１と同様にして比較例２の液晶モジュールを作製した。以下に詳細を説明する。なお、比較例２では、第１偏光子の吸収軸を方位角の基準（０°）とした。
【０１６６】
（比較例２の液晶パネル）
図２７は、比較例２の液晶モジュールが備える液晶パネルの斜視分解模式図である。図２７に示すように、アウトセル位相差層１８１Ｒの遅相軸１８１Ｒａの方位角を１３５°に設定し、インセル位相差層１４０Ｒの遅相軸１４０Ｒａの方位角を４５°に設定したこと以外は、比較例１の液晶パネル１０と同様にして、比較例２の液晶パネル１０を設定した。シンテック社製のＬＣＤ−Ｍａｓｔｅｒを用いてシミュレーションした結果、極角を６０°に設定した場合の、比較例１の液晶パネルの黒表示時における透過率最大方位角は、６５°であった。
【０１６７】
（比較例２のバックライト）
図２８は、比較例２の液晶モジュールが備えるバックライトの、規格化輝度のシミュレーション結果を示すグラフである。比較例２では、ピーク輝度比が０．７０倍であり、図２８に示す規格化輝度曲線を有すること以外は、実施例１−１〜１−４のバックライトと同様の構成を有するバックライトを用いた。
【０１６８】
（比較例２の液晶モジュール）
比較例２のバックライトにおける第１プリズムシートの第１稜線の方位角が９０°となるよう、すなわち、極角を６０°に設定した場合の、比較例２の液晶パネルの透過率最大方位が比較例２のバックライトにおける第１プリズムシートの第１稜線と平行とならないよう、比較例２の液晶パネル１０Ｒに比較例２のバックライトを配置し、比較例２の液晶モジュールとした。
【０１６９】
図２９は、比較例２の液晶モジュールに関する図であり、（ａ）は液晶パネルの黒表示時における規格化透過率のシミュレーション結果を示すグラフであり、（ｂ）は液晶モジュールの黒表示時における規格化輝度のシミュレーション結果を示すグラフである。また、下表１０は、方位角０°及び１８０°における液晶パネル１０Ｒの規格化透過率及び液晶モジュールの規格化輝度、並びに、方位角１８０°における規格化透過率（又は規格化輝度）に対する、方位角０°における規格化透過率（又は規格化輝度）の割合（Ｔ）を示す。
【０１７０】
【表１０】
2019066531.tif 000012
【０１７１】
図２９（ａ）に示すように、比較例２の液晶パネルのピーク透過率比は０．４０倍であった。これに対し、比較例２のバックライトにおける第１プリズムシートの第１稜線の方位角が９０°となるよう、すなわち、極角を６０°に設定した場合の、比較例２の液晶パネルの透過率最大方位が比較例２のバックライトにおける第１プリズムシートの第１稜線と平行とならないよう配置した比較例２の液晶モジュールでは、ピーク輝度比は０．３７倍であった。以上より、比較例２では、極角が大きい場合に液晶モジュールのピーク輝度比が改善されないといえる。
【０１７２】
図２９及び表１０に示すように、比較例２の液晶パネルでは、方位角１８０°における規格化透過率に対する、方位角０°における規格化透過率の割合（Ｔ）が１．０２６であった。一方、比較例２の液晶モジュールでは、方位角１８０°における規格化輝度に対する、方位角０°における規格化輝度の割合（Ｔ）が１．０４９であった。以上より、比較例２の液晶モジュールでは、左右方向の輝度差が増大し、すなわち、黒表示時に左右方向の方位角に依存して発生するピーク輝度のばらつきが増大し、見栄えが悪化した。
【０１７３】
［付記］
本発明の一態様は、第１基板１２０、第１基板１２０の観察面側に配置された第２基板１５０、第１基板１２０と第２基板１５０との間に設けられた液晶層１３０、第１基板１２０の背面側に設けられた第１偏光子１１０、第２基板１５０と液晶層１３０との間に設けられたインセル位相差層１４０、及び、第２基板１５０の観察面側に設けられた円偏光板１８０、を有する液晶パネル１０と、液晶パネル１０の背面側に設けられたバックライト２０と、を備え、円偏光板１８０は、第２偏光子１８２と、第２基板１５０と第２偏光子１８２との間に設けられたアウトセル位相差層１８１と、を有し、インセル位相差層１４０は、λ／４板であり、かつ、３つの主屈折率がｎｘ＞ｎｙ＝ｎｚの関係を満たし、アウトセル位相差層１８１は、λ／４板であり、かつ、３つの主屈折率がｎｘ＞ｎｙ≧ｎｚの関係を満たし、バックライト２０は、第１稜線２１０ａを有する凹凸形状部２１１を備える第１プリズムシート２１０と、第１プリズムシート２１０より背面側に配置され、かつ、第１稜線２１０ａと直交する第２稜線２２０ａを有する凹凸形状部２２１を備える第２プリズムシート２２０と、を備え、第１稜線２１０ａは、黒表示時に斜め方向において液晶パネル１０の透過率が最大となる方位に対して平行である液晶モジュール１であってもよい。
【０１７４】
このような態様とすることにより、極角が大きい場合に、黒表示時の液晶パネル１０の透過率が最大となる方位を、バックライト２０のピーク輝度が最小となる方位に揃えることが可能となり、黒表示時に液晶パネル１０の透過率が最大となる方位において、液晶モジュール１の輝度を抑えることができる。
【０１７５】
更に、極角が大きい場合に、黒表示時の液晶パネル１０の透過率が最大ピーク透過率よりも低い範囲に、バックライト２０のピーク輝度が最大となる方位を配置することが可能となり、黒表示時に液晶パネル１０の透過率が最大透過率よりも低い範囲において、液晶モジュール１の輝度を高めることができる。
【０１７６】
その結果、液晶パネル１０の透過率とバックライト２０の輝度とを互いに補償し合うことが可能となり、製造コスト及び耐久性に課題のあるネガティブＡプレートを用いなくとも、極角が大きい場合に、黒表示時に方位角に依存して発生するピーク輝度のばらつきが抑えられた液晶モジュール１を得ることができる。
【０１７７】
液晶パネル１０は、更に、第２基板１５０とアウトセル位相差層１８１との間にポジティブＣプレート１７０を備え、円偏光板１８０は、左円偏光板であり、黒表示時の液晶層１３０における液晶分子の配向方位１３０ａは、第１偏光子１１０の吸収軸１１０ａと平行であり、第２偏光子１８２の吸収軸１８２ａの方位角を０°とし、アウトセル位相差層１８１のＮＺ係数をβとしたとき、第１稜線２１０ａの方位角αは、下記式１を満たしてもよい。ポジティブＣプレート１７０及び左円偏光板を備える態様では、黒表示時において液晶パネル１０の透過率最大方位角は１０×β＋４０で近似可能であるため、第１稜線２１０ａの方位角αが下記式を満たすことにより、第１プリズムシート２１０における第１稜線２１０ａと、液晶パネル１０の黒表示時における透過率最大方位とのなす角度を０°に近づけることが可能となり、ポジティブＣプレート及び左円偏光板を備える液晶モジュール１について、極角が大きい場合に、黒表示時に方位角に依存して発生するピーク輝度のばらつきを抑えることができる。
１０×β＋３５≦α≦１０×β＋４５      （式１）
【０１７８】
液晶パネル１０は、更に、第２基板１５０とアウトセル位相差層１８１との間にポジティブＣプレート１７０を備え、円偏光板１８０は、右円偏光板であり、黒表示時の液晶層１３０における液晶分子の配向方位１３０ａは、第１偏光子１１０の吸収軸１１０ａと平行であり、第２偏光子１８２の吸収軸１８２ａの方位角を０°とし、アウトセル位相差層１８１のＮＺ係数をβとしたとき、第１稜線２１０ａの方位角αは、下記式２を満たしてもよい。ポジティブＣプレート１７０及び右円偏光板を備える態様では、黒表示時における液晶パネル１０の透過率最大方位角は−１０×β＋１４０で近似可能であるため、第１稜線２１０ａの方位角αが下記式を満たすことにより、第１プリズムシート２１０における第１稜線２１０ａと、液晶パネル１０の黒表示時における透過率最大方位とのなす角度を０°に近づけることが可能となり、ポジティブＣプレート及び右円偏光板を備える液晶モジュール１について、極角が大きい場合に、黒表示時に方位角に依存して発生するピーク輝度のばらつきを抑えることができる。
−１０×β＋１３５≦α≦−１０×β＋１４５      （式２）
【０１７９】
円偏光板１８０は、右円偏光板であり、黒表示時の液晶層１３０における液晶分子の配向方位１３０ａは、第１偏光子１１０の吸収軸１１０ａと直交し、第１偏光子１１０の吸収軸１１０ａの方位角を０°としたとき、第１稜線２１０ａの方位角αは、１１０°以上、１２０°以下であってもよい。右円偏光板を備える態様では、黒表示時における液晶パネル１０の透過率最大方位角は１１５°であり得るため、第１稜線２１０ａの方位角αが上記範囲を満たすことにより、第１プリズムシート２１０における第１稜線２１０ａと、液晶パネル１０の黒表示時における透過率最大方位とのなす角度を０°に近づけることが可能となり、右円偏光板を備える液晶モジュール１について、極角が大きい場合に、黒表示時に方位角に依存して発生するピーク輝度のばらつきを抑えることができる。
【０１８０】
円偏光板１８０は、左円偏光板であり、黒表示時の液晶層１３０における液晶分子の配向方位１３０ａは、第１偏光子１１０の吸収軸１１０ａと直交し、第１偏光子１１０の吸収軸１１０ａの方位角を０°としたとき、第１稜線２１０ａの方位角αは、６０°以上、７０°以下であってもよい。左円偏光板を備える態様では、黒表示時における液晶パネル１０の透過率最大方位角は６５°であり得るため、第１稜線２１０ａの方位角αが上記範囲を満たすことにより、第１プリズムシート２１０における第１稜線２１０ａと、液晶パネル１０の黒表示時における透過率最大方位とのなす角度を０°に近づけることが可能となり、左円偏光板を備える液晶モジュール１について、極角が大きい場合に、黒表示時に方位角に依存して発生するピーク輝度のばらつきを抑えることができる。
【符号の説明】
【０１８１】
１、１Ｒ：液晶モジュール
１０、１０Ｒ：液晶パネル
２０、２０Ｒ：バックライト
１１０、１１０Ｒ：第１偏光子
１１０ａ、１１０Ｒａ：第１偏光子の吸収軸
１２０、１２０Ｒ：第１基板（ＴＦＴ基板）
１２１、１５３、１５３Ｒ：絶縁基板
１２２：電極層
１３０、１３０Ｒ：液晶層
１３０ａ、１３０Ｒａ、１３０ｂ：液晶分子の配向方位
１３５、１３５Ｒ：シール材
１４０、１４０Ｒ：インセル位相差層
１４０ａ、１４０Ｒａ：インセル位相差層の遅相軸
１５０、１５０Ｒ：第２基板（ＣＦ基板）
１５１、１５１Ｒ：カラーフィルタ層
１５２、１５２Ｒ：ブラックマトリクス層
１６０、１６０Ｒ：透明導電膜
１７０：ポジティブＣプレート
１８０、１８０Ｒ：円偏光板
１８１、１８１Ｒ：アウトセル位相差層
１８１ａ、１８１Ｒａ：アウトセル位相差層の遅相軸
１８２、１８２Ｒ：第２偏光子
１８２ａ、１８２Ｒａ：第２偏光子の吸収軸
１９０、１９０Ｒ：反射防止膜
２１０：第１プリズムシート
２１０ａ：第１稜線
２１０ｂ、２２０ｂ：頂角
２１０ｃ、２２０ｃ：ピッチ
２１０ｄ、２２０ｄ：凸部の高さ
２１１、２２１：凹凸形状部
２１２、２２２：平面部
２２０：第２プリズムシート
２２０ａ：第２稜線
２３０：拡散シート
２４０：導光板
２５０：光源
Ｅ：法線方向
Ｆ：視線方向
Ｇ：線分
ＰＡ１、ＰＡ２、ＰＡ２−１、ＰＡ２−２、ＰＡ３、ＰＡ４、ＰＡ４−１、ＰＡ４−２、ＰＢ１、ＰＢ２、ＰＢ３、ＰＢ４：ピーク
θ：極角
φ：方位角
【図１】
2019066531.tif 000013
【図２】
2019066531.tif 000014
【図３】
2019066531.tif 000015
【図４】
2019066531.tif 000016
【図５】
2019066531.tif 000017
【図６】
2019066531.tif 000018
【図７】
2019066531.tif 000019
【図８】
2019066531.tif 000020
【図９】
2019066531.tif 000021
【図１０−１】
2019066531.tif 000022
【図１０−２】
2019066531.tif 000023
【図１１】
2019066531.tif 000024
【図１２】
2019066531.tif 000025
【図１３】
2019066531.tif 000026
【図１４】
2019066531.tif 000027
【図１５】
2019066531.tif 000028
【図１６】
2019066531.tif 000029
【図１７】
2019066531.tif 000030
【図１８】
2019066531.tif 000031
【図１９】
2019066531.tif 000032
【図２０】
2019066531.tif 000033
【図２１】
2019066531.tif 000034
【図２２】
2019066531.tif 000035
【図２３】
2019066531.tif 000036
【図２４】
2019066531.tif 000037
【図２５】
2019066531.tif 000038
【図２６】
2019066531.tif 000039
【図２７】
2019066531.tif 000040
【図２８】
2019066531.tif 000041
【図２９】
2019066531.tif 000042